(57)【要約】【課題】容易に印字ラベルの作成枚数を設定でき、操作者の操作労力を低減する。【解決手段】ラベル作成装置１は、装置外郭を構成する筐体２００と、カバーフィルム１１を搬送するためのテープ圧着ローラ駆動軸２６、及びカバーフィルム１１に印字を行う印字ヘッド１９を備え、印字が行われたカバーフィルム１１を用いて複数枚の印字ラベルＬを順次作成可能なサーマル印刷機構４と、サーマル印刷機構４を含む装置本体２の外郭を構成する筐体２００と、筐体２００外に設けられ、情報を記憶するＩＣ回路部１５０と情報を送受信するタグアンテナ１５１とを備えた無線タグ回路素子Ｔｏに対し、無線通信を行う外部アンテナ３２を備え、外部アンテナ３２と無線タグ回路素子Ｔｏとの通信継続期間の断続回数に応じた枚数の印字ラベルＬを作成するように制御される。【選択図】図６
2010173171.tif 000002
【特許請求の範囲】
【請求項１】
被印字媒体を搬送するための搬送手段、及び、前記被印字媒体に印字を行う印字手段を備え、前記印字手段により前記印字が行われた前記被印字媒体を用いて複数枚の印字ラベルを順次作成可能な印字ラベル作成部と、
前記印字ラベル作成部を含む装置本体の外郭を構成する筐体と、
前記筐体の外部に位置し、情報を記憶するＩＣ回路部と情報を送受信するタグアンテナとを備えた無線タグ回路素子に対し、無線通信を行うアンテナ手段と、
前記アンテナ手段と前記無線タグ回路素子との通信継続期間の断続回数に応じた枚数の前記印字ラベルを作成可能に、前記印字ラベル作成部を制御する制御手段と
を有することを特徴とする印字ラベル作成装置。
【請求項２】
請求項１記載の印字ラベル作成装置において、
前記アンテナ手段は、
前記筐体の外部に所定の通信可能範囲を形成し、
前記制御手段は、
前記通信継続期間の断続回数としての、前記通信可能範囲内への前記無線タグ回路素子の入退出回数に応じて、前記印字ラベル作成部が作成する前記印字ラベルの枚数を設定可能な第１設定手段を備える
ことを特徴とする印字ラベル作成装置。
【請求項３】
請求項２記載の印字ラベル作成装置において、
前記第１設定手段は、
１回の前記通信継続期間における、前記無線タグ回路素子が前記通信可能範囲内に存在する存在継続時間の長さに応じて、前記印字ラベル作成部が作成する前記印字ラベルの枚数を変更可能に構成されている
ことを特徴とする印字ラベル作成装置。
【請求項４】
請求項３記載の印字ラベル作成装置において、
前記第１設定手段は、
前記存在継続時間において前記印字ラベルの作成枚数を１枚に設定する第１時間区分を備える
ことを特徴とする印字ラベル作成装置。
【請求項５】
請求項４記載の印字ラベル作成装置において、
前記第１設定手段は、
前記存在継続時間において前記印字ラベルの作成枚数を１０枚に設定する第２時間区分を備える
ことを特徴とする印字ラベル作成装置。
【請求項６】
請求項５記載の印字ラベル作成装置において、
前記第１設定手段は、
前記存在継続時間が長くなるにつれて、前記印字ラベルの作成枚数を１０枚ずつ増加させて設定する第３時間区分を備える
ことを特徴とする印字ラベル作成装置。
【請求項７】
請求項４記載の印字ラベル作成装置において、
前記第１設定手段は、
前記存在継続時間が長くなるにつれて、前記印字ラベルの作成枚数を１枚ずつ増加させて設定する第４時間区分を備える
ことを特徴とする印字ラベル作成装置。
【請求項８】
請求項３乃至請求項７のいずれか１項記載の印字ラベル作成装置において、
前記第１設定手段は、
前記アンテナ手段と前記無線タグ回路素子との通信が継続している間前記印字ラベルの作成を連続的に継続するよう、前記印字ラベルの作成枚数を不定数に設定する第５時間区分を備える
ことを特徴とする印字ラベル作成装置。
【請求項９】
請求項２乃至請求項８のいずれか１項記載の印字ラベル作成装置において、
前記制御手段は、
前記アンテナ手段と前記無線タグ回路素子との通信継続期間の態様に応じて、前記第１設定手段が設定した前記印字ラベルの作成枚数をクリアする初期化手段を備える
ことを特徴とする印字ラベル作成装置。
【請求項１０】
請求項２乃至請求項９のいずれか１項記載の印字ラベル作成装置において、
前記制御手段は、
前記アンテナ手段と前記無線タグ回路素子との通信継続期間の態様に応じて、前記第１設定手段が設定した枚数の前記印字ラベルの作成を前記印字ラベル作成部に開始させる作成開始手段を備える
ことを特徴とする印字ラベル作成装置。
【請求項１１】
請求項２乃至請求項１０のいずれか１項記載の印字ラベル作成装置において、
前記第１設定手段が設定した枚数を表示する表示手段を有する
ことを特徴とする印字ラベル作成装置。
【請求項１２】
請求項２乃至請求項１１のいずれか１項記載の印字ラベル作成装置において、
前記筐体の外部に位置する前記無線タグ回路素子は、前記ＩＣ回路部に、前記印字ラベル作成部の前記印字手段で印字可能な印字内容を表すラベル印字情報を保持しており、
前記アンテナ手段を介し、前記無線タグ回路素子から前記ラベル印字情報を読み取る印字情報読み取り手段を設け、
前記印字ラベル作成部は、前記印字手段が、前記印字情報読み取り手段で取得された前記ラベル印字情報に対応した内容の印字を前記被印字媒体に行うことで、同一印字内容の前記複数枚の印字ラベルを作成する
ことを特徴とする印字ラベル作成装置。
【請求項１３】
請求項２乃至１２のいずれか１項記載の印字ラベル作成装置において、
前記無線タグ回路素子の前記ＩＣ回路部に記憶された、前記印字ラベルの作成枚数を指示するための枚数情報を、前記アンテナ手段を介して取得する枚数情報取得手段を有し、
前記制御手段は、
前記枚数情報取得手段で前記枚数情報を取得できた場合は、前記第１設定手段に代わり、前記印字ラベル作成部が作成する前記印字ラベルの枚数を前記当該枚数情報で指示される値に設定する第２設定手段を備える
ことを特徴とする印字ラベル作成装置。
【請求項１４】
請求項１３記載の印字ラベル作成装置において、
前記枚数情報取得手段で前記枚数情報を取得できなかった場合に、前記第１設定手段が、前記通信可能範囲内への前記無線タグ回路素子の入退出回数に応じて、前記印字ラベル作成部が作成する前記印字ラベルの枚数を設定可能となる
ことを特徴とする印字ラベル作成装置。
【請求項１５】
請求項１４記載の印字ラベル作成装置において、
前記印字ラベルの作成枚数を操作者が操作入力するための操作手段を有し、
前記制御手段は、
前記枚数情報取得手段で前記枚数情報を取得できなかった場合に、前記印字ラベル作成部が作成する前記印字ラベルの枚数を前記操作手段で操作入力された値に設定可能な第３設定手段を備える
ことを特徴とする印字ラベル作成装置。
【発明の詳細な説明】
【技術分野】
【０００１】
本発明は、被印字媒体に印字を行って印字ラベルを作成する印字ラベル作成装置に関する。
【背景技術】
【０００２】
ラベル作成用の被印字媒体（印字用テープ）をロール状に巻回してカートリッジ内に収納し、当該被印字媒体ロールより被印字媒体を繰り出しつつ所望の文字を印刷して印字ラベルを作成する印字ラベル作成装置（テープ印字装置）が知られている（例えば、特許文献１参照）。
【０００３】
この印字ラベル作成装置においては、本体フレームの前部に入力キー群が配設されている。入力キー群には、アルファベットや数字や記号等のキャラクタを入力するためのキャラクタ入力キーやカーソル移動キーやリターンキーを含む文書作成キー、入力された文書全体の書式（書体、文字サイズ及び文字修飾等）を設定するためのフォーマットキー、入力された文書の一部を部分的に文書全体の書式とは別の書式に設定するためのローカルフォーマットキー、入力された文書の登録を行う文書登録キー、登録された文書を呼び出すための文書呼び出しキー、作成された文書を被印字媒体に印字するための印字キーなどが設けられている。印字ラベル作成装置は、被印字媒体ロールから被印字媒体を繰り出しつつ、操作者によるこれらのキー操作に応じた所望の印字を行って、印字ラベルを作成するようになっている。
【先行技術文献】
【特許文献】
【０００４】
特開平６−１５９０９号公報
【発明の概要】
【発明が解決しようとする課題】
【０００５】
しかしながら、上記従来技術においては、印字ラベルを作成する際には、入力キー群に含まれる各キーによる複雑な操作が必要である。すなわち、まず、文書作成キーを押して、文書全体にかかる書体、文字サイズ及び文字修飾が設定できる状態にした後、フォーマットキーかローカルフォーマットキーを押して、書体、文字サイズ、文字修飾等のフォーマット設定を行う。その後、キャラクタ入力キーやカーソル移動キーやリターンキーを操作して文書データを作成し、その作成された文書データをテキスト領域に格納する。あるいは、文書呼び出しキーを押すことによって、既に登録済みの登録文書を呼び出す。この場合、呼び出し文書のファイルを表示させた上でカーソル移動キーやリターンキーにより呼び出す文書のファイルを選択し、対応する文書データを呼び出し、テキスト領域に格納する。そして最後に、印字キーを押すことにより、テキスト領域に格納されている、文書データを書式データに基づいてドットイメージデータに変換し、被印字媒体に印字するようになっている。そして、印字ラベルを複数枚作成する際には、上記したような各種キーを用いた煩雑な操作手順を、当該複数枚分繰り返す必要があった。このため、操作が非常に煩雑であり、操作者の操作労力が大きくなるという問題があった。
【０００６】
本発明の目的は、容易に印字ラベルの作成枚数を設定でき、操作者の操作労力を低減することができる印字ラベル作成装置を提供することにある。
【課題を解決するための手段】
【０００７】
上記目的を達成するために、第１の発明は、被印字媒体を搬送するための搬送手段、及び、前記被印字媒体に印字を行う印字手段を備え、前記印字手段により前記印字が行われた前記被印字媒体を用いて複数枚の印字ラベルを順次作成可能な印字ラベル作成部と、前記印字ラベル作成部を含む装置本体の外郭を構成する筐体と、前記筐体の外部に位置し、情報を記憶するＩＣ回路部と情報を送受信するタグアンテナとを備えた無線タグ回路素子に対し、無線通信を行うアンテナ手段と、前記アンテナ手段と前記無線タグ回路素子との通信継続期間の断続回数に応じた枚数の前記印字ラベルを作成可能に、前記印字ラベル作成部を制御する制御手段とを有することを特徴とする。
【０００８】
本願第１発明の印字ラベル作成装置は、複数枚の印字ラベルを順次作成することができる。すなわち、筐体の内部に設けた印字ラベル作成部において、搬送手段が被印字媒体を搬送し、印字手段が被印字媒体に印字を行って、印字ラベルを順次作成する。そして、その印字ラベル作成時の作成枚数を、筐体外部に位置する無線タグ回路素子との通信態様に応じて決定することができる。すなわち、制御手段の制御に基づき、印字ラベル作成部は、アンテナ手段と筐体外部の無線タグ回路素子との通信継続期間の断続回数に応じた枚数を作成するように、制御される。この結果、操作者は、例えば無線タグ回路素子を備えた無線タグを手に持って、上記アンテナ手段との通信継続期間を適宜の回数だけ断続させることにより、自分が作成したい印字ラベルの枚数を指示入力することができる。これにより、印字ラベルを複数枚作成するときに、印字ラベル作成装置のキー操作や、あるいは印字ラベル作成装置に接続した端末でのキー操作を必要とすることなく、容易に作成枚数を設定することができる。この結果、操作者の操作労力を低減し、利便性を向上することができる。
【０００９】
第２発明は、上記第１発明において、前記アンテナ手段は、前記筐体の外部に所定の通信可能範囲を形成し、前記制御手段は、前記通信継続期間の断続回数としての、前記通信可能範囲内への前記無線タグ回路素子の入退出回数に応じて、前記印字ラベル作成部が作成する前記印字ラベルの枚数を設定可能な第１設定手段を備えることを特徴とする。
【００１０】
これにより、操作者は、例えば無線タグ回路素子を備えた無線タグを手に持って、アンテナ手段の通信可能範囲外から通信可能範囲内に進入させその後再び通信可能範囲外へ退出させる入退出操作を適宜の回数行うことで、自分が作成したい印字ラベルの枚数を指示入力することができる。この結果、印字ラベルを複数枚作成するときに、無線タグを遠ざけたり近づけたりする動作だけで容易にその作成枚数を設定することができる。
【００１１】
第３発明は、上記第２発明において、前記第１設定手段は、１回の前記通信継続期間における、前記無線タグ回路素子が前記通信可能範囲内に存在する存在継続時間の長さに応じて、前記印字ラベル作成部が作成する前記印字ラベルの枚数を変更可能に構成されていることを特徴とする。
【００１２】
これにより、操作者が自分が作成したい印字ラベルの枚数を指示入力するとき、例えば無線タグ回路素子をアンテナ手段の通信可能範囲内に進入・退出させるだけでなく、その進入から退出までの時間を適宜に調整することによっても、自分が作成したい印字ラベルの枚数を指示入力することができる。これにより、さらに細かい印字ラベルの枚数指示が可能となり、利便性を向上することができる。）
第４発明は、上記第３発明において、前記第１設定手段は、前記存在継続時間において前記印字ラベルの作成枚数を１枚に設定する第１時間区分を備えることを特徴とする。
【００１３】
これにより、操作者は、第１時間区分だけ無線タグ回路素子を通信可能範囲内に存在させることで、印字ラベルを１枚作成することができる。
【００１４】
第５発明は、上記第４発明において、前記第１設定手段は、前記存在継続時間において前記印字ラベルの作成枚数を１０枚に設定する第２時間区分を備える
ことを特徴とする。
【００１５】
これにより、操作者は、第２時間区分だけ無線タグ回路素子を通信可能範囲内に存在させることで、印字ラベルを１０枚作成することができる。
【００１６】
第６発明は、上記第５発明において、前記第１設定手段は、前記存在継続時間が長くなるにつれて、前記印字ラベルの作成枚数を１０枚ずつ増加させて設定する第３時間区分を備えることを特徴とする。
【００１７】
本願第６発明においては、操作者は、第３時間区分において、無線タグをアンテナ手段に向かって近づけ無線タグ回路素子を通信可能範囲内に存在させた状態を維持することで、第１設定手段で設定する印字ラベルの作成枚数を１０枚ずつ順次増大させることができる。そして、自分が作成したい印字ラベルの枚数となったら、無線タグをアンテナ手段から離して無線タグ回路素子を通信可能範囲外に離脱させることで、第１設定手段が設定する作成枚数の増大を停止させる。このようにすることで、操作者は、自分が作成したい印字ラベルの枚数を容易かつ確実に指示入力することができる。また１０枚ずつ増大可能とすることにより、比較的多数の印字ラベルを作成するときの枚数設定を、１枚ずつ増大させる場合よりも短時間に効率よく行うことができる。
【００１８】
第７発明は、上記第４発明において、前記第１設定手段は、前記存在継続時間が長くなるにつれて、前記印字ラベルの作成枚数を１枚ずつ増加させて設定する第４時間区分を備えることを特徴とする。
【００１９】
本願第７発明においては、操作者は、第４時間区分において、無線タグをアンテナ手段に向かって近づけ無線タグ回路素子を通信可能範囲内に存在させた状態を維持することで、第１設定手段で設定する印字ラベルの作成枚数を１枚ずつ順次増大させることができる。そして、自分が作成したい印字ラベルの枚数となったら、無線タグをアンテナ手段から離して無線タグ回路素子を通信可能範囲外に離脱させることで、第１設定手段が設定する作成枚数の増大を停止させる。このようにすることで、操作者は、自分が作成したい印字ラベルの枚数を容易かつ確実に指示入力することができる。また１枚ずつ増大可能とすることにより、例えば１０枚ずつ増大させる場合よりも小刻みに枚数を設定することができるので、操作者の希望する枚数に精度よく合致させて無駄のないラベル作成を行うことができる。
【００２０】
第８発明は、上記第３乃至第７発明のいずれかにおいて、前記第１設定手段は、前記アンテナ手段と前記無線タグ回路素子との通信が継続している間前記印字ラベルの作成を連続的に継続するよう、前記印字ラベルの作成枚数を不定数に設定する第５時間区分を備えることを特徴とする。
【００２１】
本願第８発明においては、操作者は、第５時間区分において、無線タグをアンテナ手段に向かって近づけ無線タグ回路素子を通信可能範囲内に存在させた状態を維持することで、第１設定手段で設定する印字ラベルの作成枚数を不定数（追加指示あるまで印字ラベルの作成を継続）とすることができる。そして、このような設定で印字ラベルの作成を開始した後、自分が希望する枚数の印字ラベルが作成されたら、操作者は、無線タグをアンテナ手段から離して無線タグ回路素子を通信可能範囲外に離脱させることで、印字ラベルの作成を停止させる。このようにすることで、操作者は、特に枚数を決めないまま印字ラベルを作成開始し、所望のタイミングで印字ラベルの作成を停止させることができる。
【００２２】
第９発明は、上記第２乃至第８発明のいずれか１つにおいて、前記制御手段は、前記アンテナ手段と前記無線タグ回路素子との通信継続期間の態様に応じて、前記第１設定手段が設定した前記印字ラベルの作成枚数をクリアする初期化手段を備えることを特徴とする。
【００２３】
これにより、操作者は、無線タグを遠ざけたり近づけたりする動作によって無線タグ回路素子の通信継続期間の態様を調整することで、それまでに設定した第１設定手段による設定をクリアすることができる。この結果、誤って違う枚数を設定した等、もう一度印字ラベルの作成枚数の設定をやり直したいときでも、操作者は、印字ラベル作成装置のキー操作や、あるいは印字ラベル作成装置に接続した端末でのキー操作を必要とすることなく、容易に作成枚数を再設定することができる。
【００２４】
第１０発明は、上記第２乃至第９発明のいずれかにおいて、前記制御手段は、前記アンテナ手段と前記無線タグ回路素子との通信継続期間の態様に応じて、前記第１設定手段が設定した枚数の前記印字ラベルの作成を前記印字ラベル作成部に開始させる作成開始手段を備えることを特徴とする。
【００２５】
これにより、操作者は、無線タグを遠ざけたり近づけたりする動作によって無線タグ回路素子の通信継続期間の態様を調整することで、それまでに第１設定手段で設定した枚数の印字ラベルの作成を開始することができる。すなわち、枚数設定のみならず、その設定した枚数の印字ラベル作成の実行開始指示についても、印字ラベル作成装置のキー操作や、あるいは印字ラベル作成装置に接続した端末でのキー操作を必要とせず、行うことができる。この結果、操作者の操作労力をさらに低減し、利便性を向上することができる。
【００２６】
第１１発明は、上記第２乃至第１０発明のいずれかにおいて、前記第１設定手段が設定した枚数を表示する表示手段を有することを特徴とする。
【００２７】
これにより、操作者は、第１設定手段で設定する印字ラベルの作成枚数を視覚的に認識しながら、無線タグを遠ざけたり近づけたりする動作を行って、最終的に作成する印字ラベルの枚数を確実に指示入力することができる。
【００２８】
第１２発明は、上記第２乃至第１１発明のいずれかにおいて、前記筐体の外部に位置する前記無線タグ回路素子は、前記ＩＣ回路部に、前記印字ラベル作成部の前記印字手段で印字可能な印字内容を表すラベル印字情報を保持しており、前記アンテナ手段を介し、前記無線タグ回路素子から前記ラベル印字情報を読み取る印字情報読み取り手段を設け、前記印字ラベル作成部は、前記印字手段が、前記印字情報読み取り手段で取得された前記ラベル印字情報に対応した内容の印字を前記被印字媒体に行うことで、同一印字内容の前記複数枚の印字ラベルを作成することを特徴とする。
【００２９】
本願１２発明においては、操作者が例えば手に持って遠ざけたり近づけたりする無線タグの無線タグ回路素子に、印字ラベルに印字する内容を表すラベル印字情報が記憶されている。そして、印字情報読み取り手段がその無線タグ回路素子に対し読み取りを行ってラベル印字情報を取得することにより、印字ラベル作成部が当該ラベル印字情報に対応した内容の印字を印字手段に実行させ、印字ラベルを作成する。このようにして、無線タグ回路素子を、印字内容を記憶させるメモリとして用いることができるので、（予め作成したい印字ラベルの印字内容を記憶させておくだけで）容易に所望の印字内容の印字ラベルを作成することができる。そしてそのときの印字ラベルの作成枚数を、当該無線タグの無線タグ回路素子との通信継続期間の断続回数に基づき設定することができる。
【００３０】
以上のように、本願第１２発明においては、印字ラベルの作成枚数のみならず、その作成する印字ラベルの印字内容についても、印字ラベル作成装置の無線タグ回路素子からの読み取りにより設定することができる。この結果、操作者の操作労力をさらに低減し、利便性を向上することができる。
【００３１】
第１３発明は、上記第２乃至第１２発明のいずれかにおいて、前記無線タグ回路素子の前記ＩＣ回路部に記憶された、前記印字ラベルの作成枚数を指示するための枚数情報を、前記アンテナ手段を介して取得する枚数情報取得手段を有し、前記制御手段は、前記枚数情報取得手段で前記枚数情報を取得できた場合は、前記第１設定手段に代わり、前記印字ラベル作成部が作成する前記印字ラベルの枚数を前記当該枚数情報で指示される値に設定する第２設定手段を備えることを特徴とする。
【００３２】
これにより、予め印字ラベルの作成枚数を指示する枚数情報が記憶された無線タグが用意されている場合には、例えば操作者が手で持った無線タグを通信可能範囲内に進入させ、枚数情報を枚数情報手段で取得させることで、容易にラベル作成枚数を設定することができる。このようにして枚数設定の手法のバリエーションを多様化することで、設定態様を適宜に使い分けることができ、さらに利便性を向上することができる。
【００３３】
第１４発明は、上記第１３発明において、前記枚数情報取得手段で前記枚数情報を取得できなかった場合に、前記第１設定手段が、前記通信可能範囲内への前記無線タグ回路素子の入退出回数に応じて、前記印字ラベル作成部が作成する前記印字ラベルの枚数を設定可能となることを特徴とする。
【００３４】
すなわち、最初は無線タグのＩＣ回路部に枚数情報が記憶されているかどうかを判断し、枚数情報が記憶されていればその指示される枚数で印字ラベル作成枚数を設定し、枚数情報が記憶されていない場合に、無線タグを遠ざけたり近づけたりする動作で作成枚数を設定可能とする。これにより、操作者は、まずは無線タグを手に持って、アンテナ手段の通信可能範囲外から通信可能範囲内に進入させ、それだけで枚数設定がなされたかどうかを確認する。そして、それだけでは枚数設定がなされない場合に、無線タグを遠ざけたり近づけたりする動作で作成枚数を設定すればよい。この結果、無駄な操作労力をなくし、さらに確実に利便性を向上できる。
【００３５】
第１５発明は、上記第１４発明において、前記印字ラベルの作成枚数を操作者が操作入力するための操作手段を有し、前記制御手段は、前記枚数情報取得手段で前記枚数情報を取得できなかった場合に、前記印字ラベル作成部が作成する前記印字ラベルの枚数を前記操作手段で操作入力された値に設定可能な第３設定手段を備えることを特徴とする。
【００３６】
これにより、無線タグのＩＣ回路部に枚数情報が記憶されていない場合には、第２設定手段による無線タグの遠近に基づく枚数設定に加え、第３設定手段による操作手段の操作に基づく枚数設定も可能となる。このようにして枚数設定の手法のバリエーションをさらに多様化することで、さらに利便性を向上することができる。
【発明の効果】
【００３７】
本発明によれば、容易に印字ラベルの作成枚数を設定でき、操作者の操作労力を低減することができる。
【図面の簡単な説明】
【００３８】
【図１】本発明の一実施形態によるラベル作成装置の全体構成を示す斜視図である。
【図２】ラベル作成装置の開閉蓋を開けた状態の全体概略構成を示す斜視図である。
【図３】カートリッジホルダの周辺部分を、カートリッジとともに示す（一部透視）上面図である。
【図４】ラベル作成装置の制御系を表す機能ブロック図である。
【図５】ＲＦ通信制御部の詳細構成を示す機能ブロック図である。
【図６】無線タグ回路素子の機能的構成を表す機能ブロック図である。
【図７】無線タグ回路素子のＩＣ回路部のメモリ部の記憶内容の一例を概念的に示す図である。
【図８】アンテナと無線タグ回路素子との通信継続期間の態様に応じた印字ラベルの作成枚数の設定手法を概念的に示す説明図である。
【図９】印字ラベルの作成時にＣＰＵによって実行される制御内容を示すフローチャートである。
【図１０】１枚タグの場合においてステップＳ４００の詳細内容を示すフローチャートである。
【図１１】１０枚タグの場合においてステップＳ４００の詳細内容を示すフローチャートである。
【図１２】作成される印字ラベルの一例を示す上面図である。
【図１３】無線タグをかざす時間長さに応じて枚数を変更可能とする変形例の設定手法を概念的に示す説明図である。
【図１４】ステップＳ４００の詳細内容を示すフローチャートである。
【図１５】存在継続時間が１０秒以上の区分を備える場合の印字ラベルの作成枚数の設定手法を概念的に示す説明図である。
【図１６】無線タグをかざす時間長さに応じて枚数を変更する他の変形例の設定手法を概念的に示す説明図である。
【図１７】印字ラベルの作成枚数の設定のみを行う変形例において用いる、枚数設定専用の無線タグを示す上面図である。
【図１８】作成される複数枚の印字ラベルの印字データのリストを示す説明図である。
【図１９】無線タグから作成枚数情報を取得する変形例において無線タグ回路素子のＩＣ回路部のメモリ部の記憶内容の一例を概念的に示す図である。
【図２０】ステップＳ４００の詳細内容を示すフローチャートである。
【図２１】キーボードでも作成枚数を設定可能とする変形例において、ステップＳ４００の詳細内容を示すフローチャートである。
【図２２】作成枚数のリセットを行う変形例において用いる、印字ラベルの作成枚数の設定取り消し用の無線タグを示す上面図である。
【図２３】無線タグ回路素子のＩＣ回路部のメモリ部の記憶内容の一例を概念的に示す図である。
【発明を実施するための形態】
【００３９】
以下、本発明の一実施の形態を図面を参照しつつ説明する。
【００４０】
図１に、本実施形態のラベル作成装置の全体概略構成を示す。図１において、ラベル作成装置１（印字ラベル作成装置）は、装置本体２と、この装置本体２の外郭を構成する筐体２００と、外部アンテナ３２（アンテナ手段）とを有している。
【００４１】
装置本体２の筐体２００は、キーボード３と、各種表示を行うための表示部５（表示手段）と、ラベル作成装置１の電源のオン・オフを行う電源スイッチ３ｄと、カッタ駆動ボタン７と、開閉可能（又は着脱可能としてもよい）に設けられた開閉蓋８と、ＡＣアダプター電源の出力プラグを接続するためのＤＣジャック６とを有している。
【００４２】
キーボード３は、操作者が各種入力操作や後述するラベル作成装置１のモードの切替え操作を行うためのものであり、決定キー３ａ、カーソル移動キー３ｂ、及び文字や記号や数字等の入力を行う文字キー３ｃ等を有している。上記液晶ディスプレイ５に表示される各表示画面の表示内容に基づき、キーボード３により、後述のモード設定等を含む各種操作を行うことができる。
【００４３】
カッタ駆動ボタン７は、筐体２００内の所定の位置に配設されたカッタ３１（後述の図３参照）を操作者の手動操作で駆動するためのものである。このカッタ駆動ボタン７が押されることで、テープ排出口（図示せず）より図中矢印Ｈで示す方向に排出された印字済みラベルテープ２３を所望の長さにカットし、印字ラベルＬを生成可能である。
【００４４】
外部アンテナ３２は、この例では、上記筐体２００の外部に設けられており、上記筐体２００の外部に位置する無線タグ回路素子Ｔｏ（この例では、無線タグＴに備えられた無線タグ回路素子Ｔｏ）に対し無線通信を行う。
【００４５】
表示部５は、例えば液晶ディスプレイ（ＬＣＤ）から構成されており、外部アンテナ３２と上記無線タグ回路素子Ｔｏとの通信継続期間の態様に応じて設定される印字ラベルＬの作成枚数等を表示することができる（詳細は後述）。
【００４６】
そして、上記装置本体２及び外部アンテナ３２は、接続コード３０（例えばＵＳＢケーブル等。無線接続でもよい）を介して互いに情報送受信可能に接続されている。
【００４７】
また、無線タグＴは、この例では、所定の印字領域に印字（図示の例では「春日井史郎」のテキスト）が形成されている。また、無線タグＴには、情報を記憶するＩＣ回路部１５０と情報を送受信するタグアンテナ１５１とを備えた無線タグ回路素子Ｔｏが設けられており、上記外部アンテナ３２と無線通信により情報の送受信を行うことができる。
【００４８】
図２に、ラベル作成装置１の開閉蓋８を開けた状態を示す。図２において、ラベル作成装置１の筐体２００内部には、カートリッジホルダ９と、印字手段としての印字ヘッド１９（サーマルヘッド）及び搬送手段としてのテープ圧着ローラ駆動軸２６等を備えたサーマル印刷機構４（印字ラベル作成部）とが設けられている。
【００４９】
カートリッジホルダ９は、装置本体２に着脱可能に装着されるカートリッジ１０を収納し装着することができる。また、このカートリッジホルダ９には、リボン巻取り駆動軸２５と、上記テープ圧着ローラ駆動軸２６と、上記カートリッジ１０を収納した際に開口部２７に位置するように放熱を兼ねたサブフレーム２８とが設けられている。
【００５０】
上記リボン巻取りローラ駆動軸２５及びテープ圧着ローラ駆動軸２６は、使用済みインクリボン１３（後述の図３参照）及び上記印字済みラベルテープ２３の搬送駆動力をそれぞれ与えるものであり、互いに連動して回転駆動される。
【００５１】
図３に、無線タグ回路素子Ｔｏが形成された基材テープを備えるカートリッジ１０を装着した状態のカートリッジホルダ９の周辺部分を、カートリッジ１０とともに示す。
【００５２】
図３において、カートリッジ１０は、筐体２００内の凹所である上記カートリッジホルダ９に着脱可能に収納されている。また、カートリッジ１０は、基材テープ１６が巻回された第１ロール１７と、上記基材テープ１６と略同じ幅である透明なカバーフィルム１１（被印字媒体）が巻回された第２ロール１２と、印字用のインクリボン１３（但し被印字媒体が感熱テープの場合は不要）を繰り出すリボン供給側ロール１４と、印字後のインクリボン１３を巻取るリボン巻取りローラ１５と、テープ圧着ローラ１８とを有している。
【００５３】
第１ロール１７は、リール部材１７ａの周りに、上記基材テープ１６を巻回している。
【００５４】
上記基材テープ１６は、複数層（この例では４層）の積層構造を備えている（図３中部分拡大図参照）。すなわち、内側に巻かれる側（図３中右側）よりその反対側（図３中左側）へ向かって、適宜の粘着剤からなり上記カバーフィルム１１を貼り合わせるための粘着剤層１６ｈａ、例えばＰＥＴ（ポリエチレンテレフタラート）等からなるテープ基材層１６ｈｂ、適宜の粘着剤からなる粘着剤層１６ｈｃ、剥離紙１６ｈｄの順序で積層され構成されている。
【００５５】
剥離紙１６ｈｄは、最終的に完成した印字ラベルＬが所定の物品等に貼り付けられる際に、これを剥がすことで粘着剤層１６ｈｃにより当該物品等に接着できるようにしたものである。
【００５６】
第２ロール１２は、リール部材１２ａの周りに、上記カバーフィルム１１を巻回している。リボン巻取りローラ１５及びテープ圧着ローラ１８は、それぞれカートリッジ１０外に設けた例えばパルスモータであるテープ送りモータ１１８（後述の図３参照）の駆動力が図示しないギヤ機構を介し上記リボン巻取りローラ駆動軸２５及びテープ圧着ローラ駆動軸２６に伝達されることによって連動して回転駆動される。
【００５７】
テープ圧着ローラ１８は、上記基材テープ１６と上記カバーフィルム１１とを押圧し接着させ上記印字済みラベルテープ２３としつつ、図３中矢印Ｈで示す方向（図１も参照）にテープ送りを行う（＝テープ送りローラとしても機能する）。
【００５８】
また、カートリッジホルダ９は、上記印字ヘッド１９と、上記リボン巻取りローラ１５を駆動する上記リボン巻取りローラ駆動軸２５と、上記テープ圧着ローラ１８を駆動する上記テープ圧着ローラ駆動軸２６と、ローラホルダ２２とを有している。
【００５９】
印字ヘッド１９は、多数の発熱素子を備えており、上記第２ロール１２から繰り出されたカバーフィルム１１の所定の印字領域Ｓ（後述の図１２参照）に印字を行う。
【００６０】
ローラホルダ２２は、支持軸２９により回動可能に枢支され、図示しない切換機構により印字位置（図３に示す位置）とリリース位置に切換可能となっている。このローラホルダ２２には、プラテンローラ２０及びテープ送りローラ２１が回転可能に配設されており、ローラホルダ２２が上記印字位置に切り換えられたときに、それらプラテンローラ２０及びテープ送りローラ２１が上記印字ヘッド１９及びテープ圧着ローラ１８に対し圧着されるようになっている。
【００６１】
上記構成において、上記第１ロール１７より繰り出された基材テープ１６は、テープ圧着ローラ１８へと供給される。一方、第２ロール１２より繰り出されたカバーフィルム１１は、その裏面側（＝基材テープ１６と接着される側）に配置されリボン供給側ロール１４とリボン巻取りローラ１５とにより駆動されるインクリボン１３が、上記印字ヘッド１９に押圧されて当該カバーフィルム１１の裏面に接触させられる。
【００６２】
また、カートリッジ１０が上記カートリッジホルダ９に装着されることにより、ロールホルダ２２が上記リリース位置から上記印字位置に移動する。これにより、カバーフィルム１１及びインクリボン１３が印字ヘッド１９とプラテンローラ２０との間に狭持されるとともに、タグテープ１７及びカバーフィルム１１がテープ圧着ローラ１８とテープ送りローラ２１との間に狭持される。
【００６３】
その後、上記テープ送りモータ１１８の駆動力によってリボン巻取りローラ１５及びテープ圧着ローラ１８が図３中矢印Ｂ及び矢印Ｃで示す方向にそれぞれ同期して回転駆動される。このとき、前述のテープ圧着ローラ駆動軸２６と上記テープ送りローラ２１及びプラテンローラ２０はギヤ機構（図示せず）にて連結されており、テープ圧着ローラ駆動軸２６の駆動に伴いテープ圧着ローラ１８、プラテンローラ２０、及びテープ送りローラ２１が回転し、第１ロール１７から基材テープ１６が繰り出され、上述のようにテープ圧着ローラ１８へ供給される。
【００６４】
一方、第２ロール１２からはカバーフィルム１１が繰り出されるとともに、印刷駆動回路１１９（後述の図４参照）により印字ヘッド１９の複数の発熱素子が通電される。この結果、カバーフィルム１１の裏面の所定の印字領域Ｓに、操作者がキーボード３を介して入力したデータに対応する印字（鏡像印字）がされる。
【００６５】
そして、上記基材テープ１６と上記印字が終了したカバーフィルム１１とが上記テープ圧着ローラ１８及びテープ送りローラ２１により接着されて一体化されて印字済みラベルテープ２３として形成され、テープ排出部（図示せず）よりカートリッジ１０外へと搬出される。また、上記カバーフィルム１１への印字が終了したインクリボン１３は、リボン巻取りローラ駆動軸２５の駆動によりリボン巻取りローラ１５に巻取られる。
【００６６】
そして、上記カッタ駆動ボタン７（図１参照）が操作されることにより、カッタ３１によって印字済みラベルテープ２３が切断され、上記操作者がキーボード３を介して入力した所望のデータに対応する印字がされた印字ラベルＬが生成される。
【００６７】
図４に、本実施形態のラベル作成装置１の制御系を示す。なお、図中に示す矢印は信号の流れの一例を示すものであり、信号の流れ方向を限定するものではない。また、この図４では、ラベル作成装置１の装置本体２（筐体２００）及び外部アンテナ３２との間の接続コード３０については図示省略している。
【００６８】
図４において、ラベル作成装置１の制御基板（図示せず）上には、制御回路４６が配置されている。この制御回路４６には、各機器を制御するＣＰＵ４０と、このＣＰＵ４０にデータバス４５を介して接続された入出力インターフェース４４と、表示用キャラクタジェネレータＲＯＭ（表示用ＣＧＲＯＭ）４１と、印刷用キャラクタジェネレータＲＯＭ（印刷用ＣＧＲＯＭ）４２と、ＲＯＭ４３と、ＲＡＭ５０とが設けられている。
【００６９】
表示用ＣＧＲＯＭ４１には、文字や記号等の多数のキャラクタそれぞれに関する所定サイズの表示用ドットパターンデータが格納されている。印刷用ＣＧＲＯＭ４２には、文字や記号等の多数のキャラクタそれぞれに関する印刷用ドットパターンデータが各書体（フォント、テキストスタイル、テキストサイズ等）ごとにコードデータに対応付けて格納されている。
【００７０】
ＲＯＭ４３には、表示制御プログラム４７と、印字駆動制御プログラム４８と、その他ラベル作成装置１の制御上必要な各種のプログラム及びデータ等が格納されている。
【００７１】
表示制御プログラム４７は、キーボード３からの操作入力信号に対応して液晶ディスプレイ５の制御を行う。印字駆動制御プログラム４８は、印字に供する１ドット列ごとのドットパターンデータを順次、印刷駆動回路（図４で後述）に転送して、図示しない搬送用モータを駆動させて印字を行う。ＣＰＵ４０は、上記したようなＲＯＭ４３に記憶されている各種プログラム及びデータに基づいて各種の演算を行う。
【００７２】
ＲＡＭ５０には、キーボード３から入力されたテキストデータ等を格納するテキストメモリ５１と、ＣＰＵ４０で演算した演算結果を一時的に格納するワークメモリ５２と、印字バッファ５３と、印刷用メモリ５４とが設けられている。
【００７３】
印字バッファ５３は、複数の文字や記号等の印字用ドットパターンが格納され、上記印字ヘッド１９はこの印字バッファ５４に記憶されているドットパターンデータに従って印字を行う。
【００７４】
印刷用メモリ５４は、サーマル印刷機構４により直前に作成した印字ラベルＬの作成時における印字ヘッド１９による印字内容に対応する情報（例えば、操作者がキーボード３を介して入力したテキストデータ等）を、ラベル印字情報として記憶する。このラベル印字情報は、印字ラベルＬを作成する時に、これを利用して上記印字ヘッド１９で印字を行うためのものである（詳細は後述）。
【００７５】
入出力インターフェース４４には、上記キーボード３と、上記液晶ディスプレイ５と、上記印字ヘッド１９を駆動させる印刷駆動回路１１９と、テープ送りモータ駆動回路１１７と、ソレノイド駆動回路１３１と、上記カッタ駆動ボタン７と、ＲＦ通信制御部５５と、印字ラベルＬの作成枚数の設定時において前述の通信継続期間の態様に応じた音声報知を行うスピーカ６０（音声報知手段）と、印字ラベルＬの作成枚数の設定時において前述の通信継続期間の態様に応じた発光報知を行う発光ランプ６１（発光報知手段）とが接続されている。
【００７６】
テープ送りモータ駆動回路１１７は、テープ送りモータ１１８を駆動することにより、上記リボン巻取りローラ駆動軸２５及びテープ圧着ローラ駆動軸２６を駆動し、基材テープ１６、カバーフィルム１１、及び印字済みラベルテープ２３の搬送を行う。
【００７７】
ソレノイド駆動回路１３１は、上記カッタ３１を駆動して切断動作を行わせるソレノイド１３２を駆動する。
【００７８】
ＲＦ通信制御部５５は、上記外部アンテナ３２を介して、無線タグ回路素子ＴｏのＩＣ回路部１５０の情報へアクセスする（詳細は後述する）。
【００７９】
また、上記印刷駆動回路１１９、印字ヘッド１９、テープ送りモータ駆動回路１１７、テープ送りモータ１１８、リボン巻取りローラ駆動軸２５、及びテープ圧着ローラ駆動軸２６等により、印字ラベルＬの作成を行う上記サーマル印刷機構４が構成されている。
【００８０】
図５に、上記ＲＦ通信制御部５５の詳細構成を示す。なお、この図５では、ＲＦ通信制御部５５とＣＰＵ４０との間の入出力インターフェース４４については図示省略している。
【００８１】
この図５において、ＲＦ通信制御部５５は、上記外部アンテナ３２を介し無線タグＴの無線タグ回路素子ＴｏのＩＣ回路部１５０の情報へアクセスするものであり、またＣＰＵ４０は、無線タグＴの無線タグ回路素子ＴｏのＩＣ回路部１５０から読み出された信号を処理して情報を読み出すとともに無線タグ回路素子ＴｏのＩＣ回路部１５０へアクセスするための各種コマンドを生成するものである。
【００８２】
ＲＦ通信制御部５５は、外部アンテナ３２を介し無線タグＴの無線タグ回路素子Ｔｏに対して信号を送信する送信部１４２と、外部アンテナ３２により受信された無線タグ回路素子Ｔｏからの応答波を入力する受信部１４３と、送受分離器１４４とから構成される。
【００８３】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、ＣＰＵ４０の制御により水晶振動子１４５Ａの出力を分周／逓倍して所定周波数の搬送波を発生させるＰＬＬ（Ｐｈａｓｅ  Ｌｏｃｋｅｄ  Ｌｏｏｐ）１４５Ｂ及びＶＣＯ（Ｖｏｌｔａｇｅ  Ｃｏｎｔｒｏｌｌｅｄ  Ｏｓｃｉｌｌａｔｏｒ）１４５Ｃと、上記ＣＰＵ４０から供給される信号に基づいて上記発生させられた搬送波を変調（この例ではＣＰＵ４０からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例ではＣＰＵ４０からの「ＴＸ＿ＰＷＲ」信号によって増幅率を決定される増幅）して所望の質問波を生成する可変送信アンプ１４７とを備えている。そして、上記発生される搬送波は、例えばＵＨＦ帯（又はマイクロ波帯、あるいは短波帯でもよい）の周波数を用いており、上記可変送信アンプ１４７の出力は、送受分離器１４４を介し外部アンテナ３２に伝達されて無線タグ回路素子ＴｏのＩＣ回路部１５０に供給される。なお、質問波は上記のように変調した信号（変調波）に限られず、単なる搬送波のみの場合もある。
【００８４】
受信部１４３は、外部アンテナ３２で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記外部アンテナ３２で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記ＣＰＵ４０に入力されて処理される。
【００８５】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路１７８にも入力され、それらの信号の強度を示す信号「ＲＳＳＩ」がＣＰＵ４０に入力される。これにより、無線タグ回路素子Ｔｏとの通信時における当該無線タグ回路素子Ｔｏからの信号の受信強度を検出することが可能となっている。
【００８６】
図６に、上記無線タグＴに備えられる無線タグ回路素子Ｔｏの機能的構成の一例を示す。
【００８７】
この図６において、無線タグ回路素子Ｔｏは、上述したように外部アンテナ３２と非接触で信号の送受信を行う上記タグアンテナ１５１と、このタグアンテナ１５１に接続された上記ＩＣ回路部１５０とを有している。
【００８８】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００８９】
変復調部１５６は、タグアンテナ１５１により受信された上記外部アンテナ３２からの質問波の復調を行い、また、上記制御部１５７からの返信信号を変調し、タグアンテナ１５１より応答波（タグＩＤを含む信号）として送信する。
【００９０】
クロック抽出部１５４は受信した信号からクロック成分を抽出し、当該クロック成分の周波数に対応したクロックを制御部１５７に供給する。
【００９１】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００９２】
図７に、上記無線タグ回路素子ＴｏのＩＣ回路部１５０のメモリ部１５５の記憶内容の一例を概念的に示す。    
【００９３】
図７において、メモリ部１５５には、タグ識別情報としてのタグＩＤと、サーマル印刷機構４に対しカバーフィルム１１に所望の印字を行って印字ラベルＬを作成するように指示するためのコマンド（印字コマンド）と、カバーフィルム１１に印字される印字データ（＝ラベル印字情報。この例では「春日井史郎」のテキスト）とが記憶されている。
【００９４】
上記の基本構成において、本実施形態の最大の特徴は、既に触れたように、外部アンテナ３２と上記無線タグ回路素子Ｔｏとの通信継続期間の態様に応じて、印字ラベルＬの作成枚数を設定することにある。この印字ラベルＬの作成枚数の設定手法について、以下、順を追って説明する。
【００９５】
図８に、本実施形態における通信継続期間の態様に応じた印字ラベルＬの作成枚数の設定手法を概念的に示す。
【００９６】
図８において、操作者が無線タグＴを手に持ちその無線タグＴをかざしたり、そのかざす動作をやめる（はずす）ことにより、印字ラベルＬの作成枚数を設定することができる。すなわち、「タグをかざす」動作とは、操作者が無線タグＴを手で持って、無線タグＴに備えられた無線タグ回路素子Ｔｏを外部アンテナ３２の通信可能範囲内に進入させて、外部アンテナ３２と無線タグ回路素子Ｔｏとを通信させることである。また「タグをはずす」動作とは、外部アンテナ３２の通信可能範囲内に侵入させた無線タグＴを通信可能範囲内から退出させることである。本実施形態においては、このような「タグをかざす」「タグをはずす」動作によって、外部アンテナ３２と無線タグ回路素子Ｔｏとの通信継続期間を断続することができ、その断続回数に応じた印字ラベルＬの作成枚数を指示入力して設定することができる。
【００９７】
この例では、無線タグＴには、外部アンテナ３２との通信継続期間の断続１回あたりに指示入力できる印字ラベルＬの作成枚数の違いにより、機能的に２つの種別がある。すなわち、「１枚タグ」として機能する無線タグＴ（以下適宜、「１枚タグＴ」と称する）と、「１０枚タグ」として機能する無線タグＴ（以下適宜、「１０枚タグＴ」と称する）の２種類である。
【００９８】
１枚タグＴの場合、通信継続期間を１回断続させることで（上記の「タグをかざす」→「タグをはずす」の一連の動作で）印字ラベルＬの作成枚数を１枚指示入力することができる。したがって、図８に示すように、１枚タグＴを用いて、外部アンテナ３２の通信可能範囲内への入退出操作により通信継続期間の断続動作を繰り返すと、印字ラベルＬの作成枚数を１枚ずつ増加するように指示入力し設定させることができる。
【００９９】
このとき、上記１枚タグＴによる印字ラベルＬ作成枚数の設定時、操作者に設定を分かりやすくするために、外部アンテナ３２との通信継続期間が断続するたびに、スピーカ６０から対応する音声報知（例えば応答音「ピッ」の発音。なお「ピー」と少し長く持続させてもよい）が行われる。また、上記音声報知に併せて（あるいはいずれか一方のみでもよい）、表示部５において、その時点で設定されている作成枚数をＬＣＤ表示する。図示の例では、上記のように通信継続期間が断続するごとに、作成枚数が「１」→「２」→「３」→・・のように１枚ずつ増えて表示される。
【０１００】
一方、１０枚タグＴの場合、通信継続期間を１回断続させることで印字ラベルＬの作成枚数を１０枚指示入力することができる。したがって、図８に示すように、１０枚タグＴを用いて、外部アンテナ３２への入退出操作による通信継続期間の断続動作を繰り返すと、印字ラベルＬの作成枚数を１０枚ずつ増加するように指示入力し設定させることができる。
【０１０１】
このとき、上記１枚タグＴのときと同様、外部アンテナ３２との通信継続期間が断続するたびに、スピーカ６０から対応する音声報知（同様な応答音「ピッ」（若しくは「ピー」）の発音）が行われる。また、上記音声報知に併せて（あるいはいずれか一方のみでもよい）表示部５において、その時点で設定されている印字ラベルＬの作成枚数が「１０→２０→３０→・・・」のように１０枚ずつ増えてＬＣＤ表示される。
【０１０２】
なお、１枚タグＴ及び１０枚タグＴのいずれの場合も、各無線タグＴが外部アンテナ３２の通信可能範囲内に存在する１回の存在継続期間の長短は問わない。
【０１０３】
以上のようにして指示入力された作成枚数は、１枚タグＴ及び１０枚タグＴのいずれの場合も、外部アンテナ３２との通信継続期間が最後に終了してから（言い換えれば最後にタグをはずしてから）所定時間、例えば５秒が経過した時点で自動的に作成枚数の設定が完了する。そして、そのようにして設定完了した枚数の印字ラベルＬの作成が実行開始される（後述の図１０のステップＳ５６０参照）。
【０１０４】
図９に、印字ラベルＬの作成時にラベル作成装置１のＣＰＵ４０によって実行される制御内容を示す。
【０１０５】
まず、ステップＳ４００で、ＣＰＵ４０は、上記図８を用いて説明したような無線タグＴ（１枚タグ又は１０枚タグ）による枚数設定手法にしたがい、印字ラベルＬの作成枚数設定処理を行う（詳細は後述の図１０又は図１１参照）。
【０１０６】
その後、ステップＳ４１０で、ＣＰＵ４０は、テープ送りモータ駆動回路１１７に制御信号を出力し、テープ送りモータ１１８によりテープ圧着ローラ駆動軸２６及びリボン巻取りローラ駆動軸２５を駆動する。これによって、第１ロール１７からの基材テープ１６の繰り出しと第２ロール１２からのカバーフィルム１１の繰り出しを開始し、これら基材テープ１６、カバーフィルム１１、及び印字済みラベルテープ２３（以下、単に「基材テープ１６等」と総称する）の搬送を開始する。
【０１０７】
そして、ステップＳ４２０において、ＣＰＵ４０は、基材テープ１６等が所定量だけ搬送されたか否かを判定する。この所定量とは、例えば印字ヘッド１９がカバーフィルム１１の印字領域Ｓの先端にほぼ対向する位置に到達するだけの搬送距離である。この搬送距離判定は、例えば基材テープ１６に設けたマーキングを公知のテープセンサ（不図示）で検出することにより行えば足りる。所定量搬送されるまではステップＳ４２０の判定が満たされずループ待機し、所定量搬送されたらステップＳ４２０の判定が満たされて、ステップＳ４３０に移る。
【０１０８】
ステップＳ４３０では、ＣＰＵ４０は、印刷駆動回路１１９に制御信号を出力し、印字ヘッド１９に、カバーフィルム１１の印字領域Ｓに対し、上記作成枚数設定処理（後述の図１０又は図１１のステップＳ５２５参照）で取得した印字データに対応した印字を実行開始させる。
【０１０９】
その後、ステップＳ４４０において、ＣＰＵ４０は、カバーフィルム１１の上記印字領域Ｓに対する印字が全て完了しているかどうかを確認した後、ステップＳ４５０へ移る。
【０１１０】
ステップＳ４５０では、ＣＰＵ４０は、基材テープ１６等がさらに所定量（例えば、カバーフィルム１１の印字領域Ｓの全てがカッタ３１を所定の長さ分越えるだけの搬送距離）だけ搬送されたかどうかを判定する。このときの搬送距離判定も例えば上記ステップＳ４２０と同様にすれば足りる。所定量搬送されるまではステップＳ４５０の判定が満たされずループ待機し、所定量搬送されたらステップＳ４５０の判定が満たされて、ステップＳ４６０に移る。
【０１１１】
ステップＳ４６０では、ＣＰＵ４０は、テープ送りモータ駆動回路１１７に制御信号を出力し、上記テープ送りモータ１１８によるテープ圧着ローラ駆動軸２６及びリボン巻取りローラ駆動軸２５の駆動を停止し、第１ロール１７及び第２ロール１２からの基材テープ１６及びカバーフィルム１１の繰り出し及び基材テープ１６等の搬送を停止する。
【０１１２】
その後、ステップＳ４７０で、ＣＰＵ４０は、ソレノイド駆動回路１３１に制御信号を出力してソレノイド１３２を駆動し、カッタ３１によって印字済みラベルテープ２３の切断を行う。前述したように、この時点でカバーフィルム１１の印字領域Ｓを含む印字済みラベルテープ２３の全てがカッタ３１を十分に越えており、このカッタ３１の切断によって、印字データに対応した印字が行われた印字ラベルＬが作成される。これにより、作成された印字ラベルＬがテープ排出口（図示せず）より装置外へと排出される。なお、このように自動切断を行うのではなく、前述したカッタ駆動ボタン７に対する操作者の手動操作によって切断を行うようにしてもよい。
【０１１３】
その後、ステップＳ４９０において、ＣＰＵ４０は、ステップＳ４００で設定された設定枚数の印字ラベルＬが全て作成されたか否かを判定する。上記ステップＳ４００で設定された枚数の印字ラベルＬがまだ全ては作成されていない場合は、ステップＳ４９０の判定が満たされず、上記ステップＳ４１０に戻り、同様の手順を繰り返す。上記ステップＳ４００で設定された設定枚数の印字ラベルＬが全て作成された場合は、ステップＳ４９０の判定が満たされ、このフローを終了する。
【０１１４】
なお、以上において、図９に示すフロー全体の、ステップＳ４００〜ステップＳ４９０の全ての手順が、各請求項記載の、制御手段として機能し、そのうち上記ステップＳ４００（言い換えれば後述の図１０又は図１１の全手順）が第１設定手段として機能し、ステップＳ４００以外のステップＳ４１０〜ステップＳ４９０の手順が、作成開始手段として機能する。
【０１１５】
次に、上記ステップＳ４００における作成枚数設定処理の詳細制御内容を、上述の１枚タグＴの場合と１０枚タグＴの場合を例にとって説明する。まず図１０に、１枚タグＴの場合における上記ステップＳ４００の作成枚数設定処理の制御内容を示す。
【０１１６】
まず、ステップＳ５０５において、ＣＰＵ４０は、印字ラベルＬの作成枚数（設定値）Ｎを初期化してＮ＝０とする。
【０１１７】
その後、ステップＳ５１０で、ＣＰＵ４０は、受信フラグＦｔを、無線タグＴからのリプライ信号の受信なしを表す、Ｆｔ＝０に初期化する。
【０１１８】
そして、ステップＳ５１５に移り、ＣＰＵ４０は、入出力インターフェース４４を介してＲＦ通信制御部５５に制御信号を送信し、接続コード３０及び外部アンテナ３２を介し無線タグＴの無線タグ回路素子ＴｏのＩＣ回路部１５０に記憶された情報を読み取るためのタグ読み取り信号を生成して無線タグ回路素子Ｔｏに送信し、返信を促す。
【０１１９】
ステップＳ５２０では、ＣＰＵ４０は、上記タグ読み取り信号に対応し無線タグＴの無線タグ回路素子Ｔｏから送信（返信）されたリプライ信号を外部アンテナ３２、接続コード３０、ＲＦ通信制御部５５、及び入出力インターフェース４４を介し受信したか否かを判定する。なお、このステップＳ５２０は、前述のように第１設定手段の一部として機能するが、これとともに、各請求項記載の印字情報読み取り手段としても機能する。
【０１２０】
操作者が、無線タグＴを手で持って外部アンテナ３２の通信可能範囲内に進入させる動作をしない間は、無線タグＴからのリプライ信号が受信されないので判定が満たされず、ステップＳ５４０に移る。
【０１２１】
ステップＳ５４０では、ＣＰＵ４０は、Ｆｔ＝１であるか否かを判定する。最初は前述のようにＦｔ＝０であるので判定が満たされず、ステップＳ５６０へ移る。ステップＳ５６０では、ＣＰＵ４０は、後述のステップＳ５５０でのタイマ計測開始から５秒経過したか否かを判定するが、最初は計測をしていないので判定が満たされず、ステップＳ５５５に移る。ステップＳ５５５ではＦｔ＝０を再セットして、ステップＳ５１５に戻り、同様の手順を繰り返す。
【０１２２】
上記のようにして、ステップＳ５１５→ステップＳ５２０→ステップＳ５４０→ステップＳ５６０→ステップＳ５５５→ステップＳ５１５→・・と繰り返しているうちに、操作者が、外部アンテナ３２の通信可能範囲内に無線タグＴを進入させると無線タグＴからのリプライ信号が受信されてステップＳ５２０の判定が満たされ、ステップＳ５２５に移る。
【０１２３】
ステップＳ５２５では、ＣＰＵ４０は、上記ステップＳ５２０で受信したリプライ信号に基づき、無線タグ回路素子ＴｏのＩＣ回路部１５０のメモリ部１５５に記憶されたタグＩＤ、コマンド、及び印字データ（いずれも図７参照）を取得する。
【０１２４】
その後、ステップＳ５３０で、ＣＰＵ４０は、受信フラグＦｔをリプライ信号の受信ありを表すＦｔ＝１とし、ステップＳ５３５に移る。
【０１２５】
ステップＳ５３５では、ＣＰＵ４０は、自身が備えるタイマ機能による時間計測をリセットした後、上記ステップＳ５１５に戻り、同様の手順を繰り返す。
【０１２６】
無線タグＴが外部アンテナ３２を通信可能範囲内に位置させている（通信可能範囲外へ退出させない）間は、上記のようにして、ステップＳ５１５→ステップＳ５２０→ステップＳ５２５→ステップＳ５３０→ステップＳ５３５→ステップＳ５１５→・・と繰り返す。操作者が、外部アンテナ３２の通信可能範囲外に無線タグＴを退出させると、無線タグＴからのリプライ信号が受信されなくなってステップＳ５２０の判定が満たされず、ステップＳ５４０に移る。
【０１２７】
ステップＳ５４０では前述のようにＦｔ＝１であるかどうかを判定するが、上記のように一度リプライ信号を受信するとステップＳ５３０でＦｔ＝１となっていることから判定が満たされ、ステップＳ５４５に移る。
【０１２８】
ステップＳ５４５では、上記作成枚数の設定値Ｎに数字１を加える。前述の結ように最初はステップＳ５０５でＮ＝０となっていることから０→１となる。なお、このときに、前述したように表示部５においてもラベル作成枚数を「１」と表示する。また、前述のスピーカ６０による音声報知（又は発光ランプ６１による発光報知）を行う。そして、ステップＳ５５０に移る。ステップＳ５５０では、ＣＰＵ４０は、自身が備える上記タイマ機能により経過時間の計測を開始し、その後ステップＳ５５５で、受信フラグＦｔをＦｔ＝０とした後、上記ステップＳ５１５に戻り、ステップＳ５１５に戻り、同様の手順を繰り返す。
【０１２９】
すなわち、ステップＳ５１５以降、操作者が無線タグＴを外部アンテナ３２の通信可能範囲内に位置させない場合は新たにリプライ信号が受信されず、ステップＳ５１５→ステップＳ５２０を経てステップＳ５４０へ移り、ステップＳ５５５でＦｔ＝０となっていることからステップＳ５４０の判定が満たされず、ステップＳ５６０へ移る。ステップＳ５６０では、前述のようにステップＳ５５０でのタイマ計測開始後５秒経過したかどうかが判定され、５秒が経過するまでは判定が満たされず、ステップＳ５５５でＦｔ＝０に再セットしてステップＳ５１５へ戻る。したがって、操作者が無線タグＴを外部アンテナ３２の通信可能範囲内に位置させず５秒が経過するまでは、ステップＳ５１５→ステップＳ５２０→ステップＳ５４０→ステップＳ５６０→ステップＳ５５５→ステップＳ５１５→・・
と繰り返す。
【０１３０】
このような繰り返しの間にタイマ計測開始後５秒が経過した場合は、ステップＳ５６０の判定が満たされ、外部アンテナ３２の通信可能範囲内からの無線タグＴの退出による通信継続期間の最後の断絶があったものとして、ステップＳ５６５に移る。ステップＳ５６５では、ＣＰＵ４０は、印字ラベルＬの作成枚数をその時点でのＮ枚に設定し、このルーチンを終了する。
【０１３１】
一方、上記のような繰り返しの間（すなわち５秒が経過するより前）に、操作者が、外部アンテナ３２の通信可能範囲内に無線タグＴを再び進入させると無線タグＴからのリプライ信号が受信されてステップＳ５２０の判定が満たされ、ステップＳ５２５に移る。そして、前述と同様、ステップＳ５２５→ステップＳ５３０→ステップＳ５３５→ステップＳ５１５→ステップＳ５２０→ステップＳ５２５・・と繰り返される。この繰り返しの間に、操作者が、外部アンテナ３２の通信可能範囲外へ無線タグＴを退出させることで、前述と同様、ステップＳ５２０→ステップＳ５４０を経てステップＳ５４５で作成枚数の設定値Ｎにさらに１を加えて１→２とする。前述と同様、表示部５は「２」と表示し、前述のスピーカ６０による音声報知（又は発光ランプ６１による発光報知）を行う。その後、ステップＳ５５０→ステップＳ５５５を経てステップＳ５１５へ戻る。
【０１３２】
以上のようにして、操作者が、無線タグＴを外部アンテナ３２の通信可能範囲内に進入させる（前述の「タグをかざす」動作に相当）→その後通信可能範囲外へ退出させる（前述の「タグをはずす」動作に相当）、の一組の動作を行うたびに、印字ラベルＬの作成枚数の設定値Ｎが１ずつ増大して設定される。そして、無線タグＴが通信可能範囲外に位置したまま５秒が経過すると、その時点での設定値Ｎを印字ラベルＬの作成枚数の確定値として、図９に示すフローによる印字ラベルの作成が実行される。
【０１３３】
図１１に、無線タグＴが１０枚タグの場合の上記ステップＳ４００における作成枚数設定処理の制御内容を示す。この図１１に示すフローチャートは、前述の図１０のフローチャートのステップＳ５４５に代えてステップＳ５４５′を設けた点のみが異なる。すなわち、上記１０枚タグとして機能する無線タグＴを使用するので、ステップＳ５４５′で、ＣＰＵ４０は、印字ラベルＬの作成枚数の設定値Ｎに数字１０を加える。上記以外のステップは図１０と同様であるので、説明を省略する。
【０１３４】
図１２に、前述したフローを用いた制御によって作成される印字ラベルＬの一例を示す。この例では、前述の印字データにより形成されたものを示しており、印字ラベルＬの印字領域Ｓに、氏名「春日井史郎」が印字されている。
【０１３５】
以上説明した実施形態のラベル作成装置１では、印字ヘッド１９がカバーフィルム１１に印字を行い、さらに基材テープ１６と貼り合わせた印字済みラベルテープ２３を生成し、これを所定の長さに切断し、印字ラベルＬを順次作成する。そして、この印字ラベルＬの作成枚数を、無線タグＴとの通信態様に応じて決定する。これにより、操作者は、例えば無線タグ回路素子Ｔｏを備えた無線タグＴ（前述の１枚タグＴや１０枚タグＴ）を手に持ち、外部アンテナ３２の通信可能範囲に進入・退出させ通信継続期間を適宜の回数だけ断続させる（すなわち無線タグＴを外部アンテナ３２に対し遠ざけたり近づけたりする）だけで容易に、印字ラベルＬの枚数を指示入力することができる。これにより、印字ラベルＬを複数枚作成するときに、キーボード３のキー操作や、あるいはラベル作成装置１に接続した端末でのキー操作を必要とすることなく、容易に作成枚数を設定することができる。この結果、操作者の操作労力を低減し、利便性を向上することができる。
【０１３６】
このとき、特に前述の１枚タグＴを用いた場合には、操作者は、無線タグＴをアンテナ２２０３に向かって近づけ無線タグ回路素子Ｔｏを通信可能範囲内へ進入させた後、外部アンテナ３２から遠ざけ無線タグ回路素子Ｔｏを通信可能範囲外へ退出させるごとに、印字ラベルＬの作成枚数の設定値を１枚ずつ増大させることができる。この操作を繰り返すことで、操作者は、設定手段で設定する作成枚数を適宜に増大させ、自分が作成したい印字ラベルＬの枚数を容易かつ確実に指示入力することができる。また１枚ずつ増大可能とすることにより、例えば１０枚ずつ増大させる場合よりも小刻みに枚数を設定することができるので、操作者の希望する枚数に精度よく合致させて無駄のないラベル作成を行うことができる。
【０１３７】
また、特に前述の１０枚タグＴを用いた場合には、操作者は、無線タグＴを外部アンテナ３２に向かって近づけ無線タグ回路素子Ｔｏを外部アンテナ３２の通信可能範囲内へ進入させた後、外部アンテナ３２から遠ざけ無線タグ回路素子Ｔｏを通信可能範囲外へ退出させるごとに、印字ラベルＬの作成枚数の設定値を１０枚ずつ増大させることができる。この操作を繰り返すことで、操作者は、設定手段で設定する作成枚数を適宜に増大させ、自分が作成したい印字ラベルＬの枚数を容易かつ確実に指示入力することができる。また１０枚ずつ増大可能とすることにより、比較的多数の印字ラベルＬを作成するときの枚数設定を、１枚ずつ増大させる場合よりも短時間に効率よく行うことができる。
【０１３８】
また、本実施形態では特に、無線タグＴの無線タグ回路素子Ｔｏに記憶された、印字ラベルＬに印字する内容を表す印字データ（ラベル印字情報）を読み取って、当該印字データに対応した内容の印字が印字ヘッド１９により実行さされ、印字ラベルＬが作成する。このようにして、無線タグ回路素子Ｔｏを、印字内容を記憶させるメモリとして用いることができるので、予め作成したい印字ラベルＬの印字内容を記憶させておくだけで、容易に所望の印字内容の印字ラベルＬを複数枚（それぞれが同一印字内容である）作成することができる。そしてそのときの印字ラベルの作成枚数を、当該無線タグの無線タグ回路素子Ｔｏとの通信継続期間の長さに基づき設定することができる。このように、印字ラベルＬの作成枚数のみならず、その作成する印字ラベルＬの印字内容についても、無線タグ回路素子Ｔｏからのラベル作成装置１の読み取りにより設定することができる。この結果、操作者の操作労力をさらに低減し、利便性を向上することができる。
【０１３９】
また、本実施形態では特に、印字ラベルＬの作成枚数を設定した後、外部アンテナ３２と無線タグ回路素子Ｔｏとの通信継続期間が５秒間断絶したら、自動的にそれまでに設定した枚数の印字ラベルＬの作成が開始される（図１０のステップＳ５６０参照）。これにより、操作者は、印字ラベルＬの枚数設定のみならず、その設定した枚数の印字ラベル作成の実行開始指示についても、ラベル作成装置１のキー操作や、あるいはラベル作成装置１に接続した端末でのキー操作を必要とせず、行うことができる。この結果、操作者の操作労力をさらに低減し、利便性を向上することができる。
【０１４０】
また、本実施形態では特に、表示部５において設定する作成枚数を表示部５に表示するので、操作者は、印字ラベルＬの作成枚数を視覚的に認識しながら、無線タグＴを遠ざけたり近づけたりする動作を行って、最終的に作成する印字ラベルの枚数を確実に指示入力することができる。
【０１４１】
また、本実施形態では特に、スピーカ６０において外部アンテナ３２と無線タグ回路素子Ｔｏとの通信継続期間の態様（断続）に対応した音声報知を行う。同様に、発光ランプ６１においても、通信継続期間の態様（断続）に対応した発光報知を行う。これにより、操作者が無線タグＴを外部アンテナ３２の通信可能範囲に対し遠ざけたり近づけたりする動作により通信継続期間の態様を適宜に設定するとき、ラベル作成装置１側で当該動作が識別された旨を操作者が聴覚的又は視覚的に認識することができる。したがって、操作者は、心理的に安心感をもちつつ、確実に印字ラベルの作成枚数を設定することができる。
【０１４２】
なお、本発明は、上記実施形態に限られるものではなく、その趣旨及び技術的思想を逸脱しない範囲内で種々の変形が可能である。以下、そのような変形例を順を追って説明する。
【０１４３】
（１）無線タグＴをかざす時間長さに応じて枚数を変更可能とする場合
上記実施形態では、操作者が無線タグＴを手に持って外部アンテナ３２の通信可能範囲内に入退出させることによる、外部アンテナ３２と無線タグ回路素子Ｔｏとの通信継続期間の断続回数により、印字ラベルＬの作成枚数を設定した。その際、上記実施形態では、１回の通信継続期間における無線タグ回路素子Ｔｏの外部アンテナ３２内に存在する存在継続時間の長さは問わず、１回の通信継続期間の断続で印字ラベルＬの作成枚数を１枚（１枚タグＴの場合）又は１０枚（１０枚タグＴの場合）の固定的な枚数設定を行った。しかしながら、本発明はこれに限られず、１回の通信継続期間における、無線タグ回路素子Ｔｏの外部アンテナ３２の通信可能範囲内に存在する存在継続時間の長さに応じて、印字ラベルＬの作成枚数を変更可能に設定するようにしてもよい。
【０１４４】
図１３は、そのような変形例において、無線タグＴによる印字ラベルＬの作成枚数の設定手法を概念的に示す図であり、上記実施形態の図８に対応する図である。図１３に示すように、無線タグ回路素子Ｔｏが外部アンテナ３２の通信可能範囲内に存在する存在継続時間に関し、０．５秒以上２秒未満の時間区分（第１時間区分）と、２秒以上の時間区分（第４時間区分）との２つを設けている。
【０１４５】
まず、存在継続期間が０．５秒以上２秒未満である場合は、無線タグＴを前述の１枚タグとして機能させる。すなわち、操作者が、外部アンテナ３２の近傍へ無線タグＴをかざす（＝外部アンテナ３２の通信可能範囲内への無線タグ回路素子Ｔｏを進入させる。以下同様）動作をした後、経過時間が０．５秒未満のうちに無線タグＴを外部アンテナ３２の近傍からはずす（＝外部アンテナ３２の通信可能範囲外へ無線タグ回路素子Ｔｏを退出させる。以下同様）動作を行った場合には、印字ラベルＬの枚数設定は行われない。これに対し上記経過時間が０．５秒以上２秒未満のときに無線タグ回路素子Ｔｏを通信可能範囲外へ退出させると、ＣＰＵ４０が印字ラベルＬの作成枚数を１枚増加するように設定する。なおこのとき、前述の図８と同様、外部アンテナ３２との通信継続期間の断続時に、スピーカ６０から対応する音声報知（応答音「ピッ」）が行われ、表示部５において作成枚数「１」の表示が行われる。
【０１４６】
一方、存在継続期間が２秒以上である場合は、無線タグＴを「オートカウントタグ」として機能させるものである。すなわち、操作者が、外部アンテナ３２の近傍へ無線タグＴをかざす動作をした後の上記経過時間が２秒以上となると、ＣＰＵ４０が、印字ラベルＬの作成枚数をその後１秒経過するごとに１枚増加するように設定する。なおこのとき、前述の図８と同様、外部アンテナ３２との通信継続期間の断続時に、スピーカ６０から対応する音声報知（応答音「ピッ」「ピッ」「ピッ」・・）が行われ、表示部５において作成枚数「１」→「２」→「３」→「４」→・・の表示が行われる。なお、このように無線タグＴをオートカウントタグとして機能させる存在継続時間には、例えば１０秒以下のような上限値を設けてもよい。
【０１４７】
図１４に、本変形例においてＣＰＵ４０で実行される上記ステップＳ４００における作成枚数設定処理の詳細制御内容を示す。この図１４は、上記実施形態の図１０に対応する図である。
【０１４８】
まず、ステップＳ６０５、ステップＳ６１０、ステップＳ６１５は、上記図１０のステップＳ５０５、ステップＳ５１０、ステップＳ５１５とそれぞれ同様であり、ＣＰＵ４０は、印字ラベルＬの作成枚数設定値Ｎ＝０に初期化した後、受信フラグＦｔをＦｔ＝０に初期化し、外部アンテナ３２を介しタグ読み取り信号を無線タグ回路素子Ｔｏに送信して返信を促す。そして、ステップＳ６２０において、上記ステップＳ５２０と同様、ＣＰＵ４０は、無線タグ回路素子Ｔｏから送信（返信）されたリプライ信号を受信したか否かを判定する。ステップＳ６２０は、ステップＳ５２０と同様、第１設定手段の一部として機能するとともに印字情報読み取り手段としても機能する。
【０１４９】
操作者が、無線タグＴを手で持って外部アンテナ３２の通信可能範囲内に進入させる動作をしない間は、無線タグＴからのリプライ信号が受信されないのでステップＳ６２０の判定が満たされず、ステップＳ６５５に移る。
【０１５０】
ステップＳ６５５では、上記ステップＳ５４０と同様、ＣＰＵ４０は、Ｆｔ＝１であるか否かを判定する。最初は前述のようにＦｔ＝０であるので判定が満たされず、ステップＳ６１５に戻り、同様の手順を繰り返す。
【０１５１】
上記のようにして、ステップＳ６１５→ステップＳ６２０→ステップＳ６５５→ステップＳ６１５→・・と繰り返しているうちに、操作者が、外部アンテナ３２の通信可能範囲内に無線タグＴを進入させると無線タグＴからのリプライ信号が受信されてステップＳ６２０の判定が満たされ、ステップＳ６２５に移る。
【０１５２】
ステップＳ６２５では、上記ステップＳ５２５と同様、ＣＰＵ４０は、上記ステップＳ６２０で受信したリプライ信号に基づき、無線タグ回路素子ＴｏのＩＣ回路部１５０のメモリ部１５５に記憶されたタグＩＤ、コマンド、及び印字データ（図７参照）を取得する。その後、ステップＳ６３０に移る。
【０１５３】
ステップＳ６３０では、受信フラグＦｔ＝０であるかどうかを判定する。最初は前述のようにステップＳ６１０でＦｔ＝０となっているので判定が満たされ、ステップＳ６３５に移る。
【０１５４】
ステップＳ６３５では、ＣＰＵ４０は、自身が備える上記タイマ機能により経過時間の計測を開始し、その後ステップＳ６４０で、受信フラグＦｔをＦｔ＝１とした後、ステップＳ６４０に移る。
【０１５５】
ステップＳ６４５では、前述のようにステップＳ６３５でのタイマ計測開始後２秒経過したかどうかが判定され、２秒が経過するまでは判定が満たされず、ステップＳ６５０で印字ラベルＬの作成枚数Ｎ＝１に設定する。なお、このときに、前述したように表示部５においてもラベル作成枚数を「１」と表示する。また、前述のスピーカ６０による音声報知（又は発光ランプ６１による発光報知）を行う。その後、ステップＳ６１５へ戻る。
【０１５６】
すなわち、ステップＳ６１５以降、操作者が無線タグＴを外部アンテナ３２の通信可能範囲内に位置させたままの場合はリプライ信号が受信される状態が続き、ステップＳ６１５→ステップＳ６２０→ステップＳ６２５を経てステップＳ６３０へ移り、先のステップＳ６４０でＦｔ＝１となっていることからステップＳ６３０の判定が満たされず、直接ステップＳ６４５へ移り、ステップＳ６５０でＮ＝１に再セットしてステップＳ６１５へ戻る。したがって、操作者が無線タグＴを外部アンテナ３２の通信可能範囲内に位置させたまま２秒が経過するまでは、ステップＳ６１５→ステップＳ６２０→ステップＳ６２５→ステップＳ６３０→ステップＳ６４５→ステップＳ６５０→・・と繰り返す。
【０１５７】
このような繰り返しの間に、操作者が無線タグＴを外部アンテナ３２の通信可能範囲外へ退出させた場合、リプライ信号が受信されなくなることからステップＳ６２０の判定が満たされず、ステップＳ６５５に移る。そして前述のようにこの時点で先のステップＳ６４０でＦｔ＝１となっていることからステップＳ６５５の判定が満たされ、さらにステップＳ６５７の判定が満たされず、そのままこのルーチンを終了する。これにより、この時点での設定値Ｎ＝１を印字ラベルＬの作成枚数の確定値として、図９に示すフローによる印字ラベルの作成が実行される。
【０１５８】
なお、ステップＳ６５７での判定は、ステップＳ６３５でのタイマ計測開始後０．５秒経過していない場合、印字ラベルを作成しないようにするためのものである（上記図１３の上段の図示参照）。すなわち、タグをかざした後に０．５秒経過しないうちにタグをはずした場合には、ステップＳ６５７の判定が満たされてステップＳ６５９でＮ＝０に初期化した後に、このルーチンを終了する。この場合、この時点での設定値Ｎ＝０が印字ラベルＬの作成枚数の確定値となることから、図９に示すフローによる印字ラベルの作成は実行されない。
【０１５９】
一方、上記のような繰り返しの間に、（操作者が無線タグＴを外部アンテナ３２の通信可能範囲内に位置させたまま）タイマ計測開始後２秒が経過した場合は、ステップＳ６４５の判定が満たされ、ステップＳ６６０に移る。
【０１６０】
ステップＳ６６０では、ＣＰＵ４０は、上記タイマ機能による時間計測をリセットした後、ステップＳ６６５に移る。
【０１６１】
ステップＳ６６５では、上記ステップＳ６１５と同様、外部アンテナ３２を介しタグ読み取り信号を無線タグ回路素子Ｔｏに送信して返信を促す。その後ステップＳ６７０において、ステップＳ６２０と同様、ＣＰＵ４０は、無線タグ回路素子Ｔｏから送信（返信）されたリプライ信号を受信したか否かを判定する。操作者が無線タグＴを手で持って外部アンテナ３２の通信可能範囲外へ退出させていた場合（先のステップＳ６２０ではリプライ信号は受信されていたのであるから、その直後、つまりタイマ計測２秒ちょうどあたりで無線タグＴが通信可能範囲外へ動かされたことになる）は、リプライ信号が受信されずにステップＳ６７０の判定が満たされず、このルーチンを終了する。この場合も、前述と同様、設定値Ｎ＝１を印字ラベルＬの作成枚数の確定値として印字ラベルの作成が実行される。
【０１６２】
一方、操作者が引き続き無線タグＴを外部アンテナ３２の通信可能範囲内に位置させている場合、リプライ信号が無線タグ回路素子Ｔｏから受信されてステップＳ６７０の判定が満たされ、ステップＳ６７５に移る。ステップＳ６７５では、上記ステップＳ６２５と同様、ＣＰＵ４０は、上記ステップＳ６７０で受信したリプライ信号に基づき、無線タグ回路素子ＴｏのＩＣ回路部１５０のメモリ部１５５に記憶されたタグＩＤ、コマンド、及び印字データ（図７参照）を取得する。その後、ステップＳ６８０に移る。
【０１６３】
ステップＳ６４５では、前述のようにステップＳ６６０でのタイマリセット後さらに１秒経過したかどうかが判定され、１秒が経過するまでは判定が満たされずステップＳ６６５に戻り同様の手順を繰り返す。したがって、操作者が無線タグＴを外部アンテナ３２の通信可能範囲内に位置させたまま上記１秒が経過するまでは、ステップＳ６６５→ステップＳ６７０→ステップＳ６７５→ステップＳ６８０→ステップＳ６６５→・・と繰り返す。
【０１６４】
上記のような繰り返しの間に、（操作者が無線タグＴを外部アンテナ３２の通信可能範囲内に位置させたまま）タイマリセット後１秒が経過した場合は、ステップＳ６８０の判定が満たされ、ステップＳ６８５に移る。
【０１６５】
ステップＳ６８５では、上記作成枚数の設定値Ｎに数字１を加える。前述の結ように最初にこのステップＳ６８５の実行時はステップＳ６５０でＮ＝１となっていることから１→２となる。なお、このときに、前述したように表示部５においてもラベル作成枚数を「２」と表示する。また、前述のスピーカ６０による音声報知（又は発光ランプ６１による発光報知）を行う。そして、ステップＳ６９０に移る。ステップＳ６９０では、ＣＰＵ４０は、上記ステップＳ６６０と同様に再びタイマ機能をリセットし、その後ステップＳ６６５に戻り、同様の手順を繰り返す。したがって、操作者が無線タグＴを外部アンテナ３２の通信可能範囲内に位置させたままの状態では、ステップＳ６６５→ステップＳ６７０→ステップＳ６７５→ステップＳ６８０→ステップＳ６８５→ステップＳ６９０→・・と繰り返され、そして上記１秒が経過するごとに、ステップＳ６８５において印字ラベルＬの作成枚数設定値Ｎが１枚ずつカウントアップされていく。
【０１６６】
そして、このような繰り返しの間に、操作者が無線タグＴを外部アンテナ３２の通信可能範囲外へ退出させた場合、リプライ信号が受信されなくなることからステップＳ６７０の判定が満たされず、このルーチンを終了する。これにより、その時点での作成枚数設定値Ｎを印字ラベルＬの作成枚数の確定値として印字ラベルの作成が実行される。
【０１６７】
以上説明したように、本変形例では、外部アンテナ３２と無線タグ回路素子Ｔｏとの１回の通信継続期間における、無線タグ回路素子Ｔｏが外部アンテナ３２の通信可能範囲内に存在する存在継続時間の長さに応じて、作成する印字ラベルＬの枚数を変更可能に構成されている。
【０１６８】
これにより、操作者が自分が作成したい印字ラベルＬの枚数を指示入力するとき、例えば無線タグ回路素子Ｔｏを外部アンテナ３２の通信可能範囲内に進入・退出させるだけでなく、その進入から退出までの時間を適宜に調整することによっても、自分が作成したい印字ラベルＬの枚数を指示入力することができる。これらにより、さらに細かい印字ラベルの枚数指示が可能となり、利便性を向上することができる。
【０１６９】
具体的には、この例では、存在継続時間を０．５秒以上２秒未満とすることで、印字ラベルＬを１枚作成することができる。また、存在継続時間を２秒以上とした場合には、存在継続時間が長くなるにつれて印字ラベルの作成枚数Ｌを１枚ずつ増加させて設定することができる。この場合、操作者は、無線タグＴを外部アンテナ３２に向かって近づけ無線タグ回路素子Ｔｏを通信可能範囲内に存在させた状態を維持し、設定される印字ラベルＬの作成枚数が１枚ずつ順次増大して、自分が作成したい枚数となったら、無線タグＴを外部アンテナ３２から離して無線タグ回路素子Ｔｏを通信可能範囲外に離脱させることで、作成枚数の増大を停止させる。このようにすることで、操作者は、自分が作成したい印字ラベルＬの枚数を容易かつ確実に指示入力することができる。このとき１枚ずつ増大可能とすることにより、例えば１０枚ずつ増大させる場合よりも小刻みに枚数を設定することができるので、操作者の希望する枚数に精度よく合致させて無駄のないラベル作成を行うことができる。
【０１７０】
なお、本変形例では、存在継続時間が２秒以上となった場合、印字ラベルＬの作成枚数を存在継続時間が断続されるまで１枚ずつ増加するようにカウントアップして設定したが、これに限られない。すなわち、図８や図１３に対応する図１５に示すように、上記存在継続時間が２秒以上となって前述のように動作させた後（この部分についての図示及び説明は省略）、存在継続時間が例えば１０秒以上になったら、それ以降（＝第５時間区分）、外部アンテナ３２と無線タグ回路素子Ｔｏとの通信が継続している間は、印字ラベルの作成枚数を不定数に設定して印字を開始し、印字ラベルＬの作成を連続的に継続する（追加指示あるまで印字ラベルＬの作成を継続する）ようにしてもよい。
【０１７１】
これにより、操作者は、無線タグＴを外部アンテナ３２に向かって近づけ無線タグ回路素子Ｔｏを通信可能範囲内に存在させた状態を維持することで、印字ラベルＬの作成を継続することができる。そして、このような設定で印字ラベルＬの作成を開始した後、自分が希望する枚数の印字ラベルＬが作成されたら、操作者は、無線タグＴを外部アンテナ３２から離して無線タグ回路素子Ｔｏを通信可能範囲外に離脱させることで、印字ラベルＬの作成を停止させる。このようにすることで、操作者は、特に枚数を決めないまま印字ラベルＬを作成開始し、所望のタイミングで印字ラベルＬの作成を停止させることができる。
【０１７２】
（２）無線タグＴをかざす時間長さに応じて枚数を変更する他の例
上記（１）の変形例では、１回の通信継続期間における無線タグ回路素子Ｔｏの外部アンテナ３２の通信可能範囲内に存在する存在継続時間の長さに応じて、無線タグＴに１枚タグとオートカウントタグの２つの機能を発揮させて、印字ラベルＬの作成枚数を設定したが、これに限られない。すなわち、無線タグＴにおいて３つ以上の機能を発揮させて、印字ラベルＬの作成枚数を設定させるようにしてもよい。
【０１７３】
図１６に、そのような変形例における無線タグＴによる印字ラベルＬの作成枚数の変更可能な設定手法を概念的に示すものであり、上記図１３や図１５等に対応する図である。図１６に示すように、本変形例では、無線タグ回路素子Ｔｏが外部アンテナ３２の通信可能範囲内に存在する存在継続時間に関し、０．５秒以上２秒未満（第１時間区分）と、２秒以上５秒未満（第２時間区分）と、５秒以上１０秒未満（第３時間区分）との３つを設けている。
【０１７４】
まず、存在継続期間が０．５秒以上２秒未満である場合は、無線タグＴを前述の１枚タグとして機能させる。すなわち、図１３と同様、操作者が、外部アンテナ３２の近傍へ無線タグＴをかざす動作をした後、経過時間が０．５秒未満のうちに無線タグＴを外部アンテナ３２の近傍からはずす動作を行った場合には、印字ラベルＬの枚数設定は行われない。上記経過時間が０．５秒以上２秒未満のときに無線タグ回路素子Ｔｏを通信可能範囲外へ退出させると、ＣＰＵ４０が印字ラベルＬの作成枚数を１枚とするように設定する。前述と同様、外部アンテナ３２との通信継続期間の断続時に、スピーカ６０から対応する音声報知（例えば応答音「ピッ」）が行われ、表示部５において作成枚数「１」の表示が行われる。
【０１７５】
そして、存在継続期間が２秒以上５秒未満である場合は、無線タグＴを前述の１０枚タグとして機能させる。すなわち、上記と同様、上記経過時間が２．５秒以上５秒未満のときに無線タグ回路素子Ｔｏを通信可能範囲外へ退出させると、ＣＰＵ４０が印字ラベルＬの作成枚数を１０枚とするように設定する。このとき、上記同様、外部アンテナ３２との通信継続期間の断続時に、スピーカ６０から対応する音声報知（例えば応答音「ピー」）が行われ、表示部５において作成枚数「１０」の表示が行われる。
【０１７６】
その後、存在継続期間が５秒以上となった場合は、無線タグＴを上記オートカウントタグとして機能させる。すなわち、操作者が、外部アンテナ３２の近傍へ無線タグＴをかざす動作をした後の上記経過時間が５秒以上となると、ＣＰＵ４０が、印字ラベルＬの作成枚数をその後１秒経過するごとに１０枚増加するように設定する。なおこのとき、前述と同様、外部アンテナ３２との通信継続期間の断続時に、スピーカ６０から対応する音声報知（応答音「ピッ」「ピッ」「ピッ」・・）が行われ、表示部５において作成枚数「１０」→「２０」→「３０」→「４０」→・・の表示が行われる。
【０１７７】
変形例においても、上記（１）の変形例と同様の効果を得る。すなわち、操作者は、無線タグ回路素子Ｔｏを外部アンテナ３２の通信可能範囲内に進入・退出させるだけでなく、その進入から退出までの時間を適宜に調整することによっても、自分が作成したい印字ラベルＬの枚数を指示入力することができる。これらにより、さらに細かい印字ラベルの枚数指示が可能となり、利便性を向上することができる。特に、操作者は、無線タグＴを外部アンテナ３２に向かって近づけ無線タグ回路素子Ｔｏを通信可能範囲内に存在させた状態を維持し、設定される印字ラベルＬの作成枚数を１枚（又は１０枚）ずつ順次増大させる。そして、自分が作成したい印字ラベルＬの枚数となったら、無線タグＴを外部アンテナ３２から離して無線タグ回路素子Ｔｏを通信可能範囲外に離脱させることで、作成枚数の増大を停止させ、自分が作成したい印字ラベルＬの枚数を容易かつ確実に指示入力することができる。また、存在継続期間が５秒以上１０秒未満においては１秒刻みで１０枚ずつ増大させることにより、比較的多数の印字ラベルＬを作成するときの枚数設定を、１枚ずつ増大させる場合よりも短時間に効率よく行うことができる。
【０１７８】
（３）印字ラベルＬの作成枚数の設定のみを行う枚数設定専用の無線タグＴｓを用いる場合
上記実施形態では、印字ラベルＬの作成枚数の設定に使用する無線タグＴは、無線タグ回路素子ＴｏのＩＣ回路部１５０のメモリ部１５５に印字データを記憶させておいて、印字ラベルＬの作成時に無線タグＴから印字データを取得するのにも使用したが、本発明はこれに限られない。すなわち、無線タグＴは印字ラベルＬの作成枚数の設定にのみ使用するようにしてもよい。
【０１７９】
図１７に、そのような変形例で使用する無線タグＴｓを示す。本変形例の無線タグＴｓは、印字ラベルＬの作成枚数の設定にのみ使用する枚数設定専用タグである。本変形例では、無線タグＴｓに備えられた無線タグ回路素子ＴｏのＩＣ回路部１５０のメモリ部１５５には、ＩＤ、コマンド等のデータは記憶されているが、印字データは記憶されておらず、その代わりに、ラベル作成装置１の制御回路４６の所定箇所（例えばＣＰＵ４０に内蔵する所定のメモリ部。以下同様）に印字データが記憶されている。そして、印字ラベルＬの作成時、上述したのと同様の種々の手法によって、外部アンテナ３２と無線タグ回路素子Ｔｏとの通信継続期間の態様に応じて印字ラベルＬの作成枚数を指示入力して設定させ、上記メモリ部から取得した印字データに基づき、印字ヘッド３０６でカバーフィルム１１に印字を行うことにより、当該設定枚数の印字ラベルＬを作成することができる。
【０１８０】
ここで、上記したように、本変形例では、無線タグＴｓは、印字ラベルＬの作成枚数を設定する機能を備えるだけである。したがって、ＣＰＵ４０の上記メモリに、例えば図１８に示すように、印字データとして、例えば氏名データをリストに配列した形態で記憶させておく。そして外部アンテナ３２と無線タグ回路素子Ｔｏとの通信継続期間の例えば断続回数により印字ラベルＬの作成枚数をＮ枚に設定し、そのＮ枚の印字ラベルＬを上記リストの印字データをそれぞれ用いて作成する。
【０１８１】
このとき、Ｎ枚（この例ではＮ＝６。以下同様）分の印字データとして、図１８中のリスト例［ａ］に示すように、リスト配列順に例えば先頭から６つのデータ（この例では氏名テキスト）「名古屋史郎」「名古屋花子」「名古屋春郎」「名古屋夏郎」「名古屋秋子」「名古屋冬郎」を用いる。この場合、リストの配列の先頭から配列順に「名古屋史郎」「名古屋花子」「名古屋春郎」「名古屋夏郎」「名古屋秋子」「名古屋冬郎」がそれぞれ印字された６枚の印字ラベルＬを作成することができる。
【０１８２】
また、図１８中リスト例［ｂ］では、６枚分の印字データとしてリストの配列順の例えば先頭の１名の氏名データ「名古屋史郎」を用いる場合である。この場合には「名古屋史郎」が印字された（＝同一印字内容の）６枚の印字ラベルＬを作成することができる。
【０１８３】
また、図１８中のリスト例［ｃ］では、リスト例［ａ］とリスト例［ｂ］とを組み合わせたものに相当し、６枚分の印字データとしてリストの配列順の例えば先頭から２名の氏名データ「名古屋史郎」「名古屋花子」を用いる場合である。この場合、「名古屋史郎」が印字された（＝同一印字内容の）３枚の印字ラベルＬと、「名古屋花子」が印字された（＝同一印字内容の）３枚の印字ラベルＬとを作成することができる。
【０１８４】
本変形例によっても、上記実施形態と同様、操作者は、無線タグＴを手に持ち、外部アンテナ３２の通信可能範囲に進入・退出させるだけで容易に、印字ラベルＬの枚数を指示入力することができるので、容易に作成枚数を設定することができる。すなわち、本発明の本来の効果である、操作者の操作労力低減効果を得ることができ、利便性を向上することができる。
【０１８５】
（４）無線タグから作成枚数情報を取得する場合
図１９に、本変形例において、上記無線タグ回路素子ＴｏのＩＣ回路部１５０のメモリ部１５５の記憶内容の一例を概念的に示す。この図１９は、上記実施形態の図７に対応する図である。
【０１８６】
図１９に示すように、本変形例では、メモリ部１５５に、前述のタグＩＤと、コマンドと、印字データ（＝ラベル印字情報）とに加え、印字ラベルＬの作成枚数を指示するためのラベル作成枚数（枚数情報）が記憶されている。
【０１８７】
図２０に、本変形例においてＣＰＵ４０で実行される上記ステップＳ４００における作成枚数設定処理の詳細制御内容を、上述の１枚タグＴの場合を例にとって説明する。
【０１８８】
図２０において、このフローでは、上記図１０に示したフローのステップＳ５２５に代えてステップＳ５２５′を設けるとともに、ステップＳ５２５′とステップＳ５３５の間に新たにステップＳ５２７を加えた点が異なる。
【０１８９】
すなわち、前述のステップＳ５２０の判定が満たされると、ステップＳ５２５′に移り、ＣＰＵ４０は、上記ステップＳ５２０で受信したリプライ信号に基づき、無線タグ回路素子ＴｏのＩＣ回路部１５０のメモリ部１５５に記憶されたタグＩＤ、コマンド、印字データ、及び印字ラベル作成枚数（上記図１９参照）の取得を実行する（取得を図る）。
【０１９０】
その後、ステップＳ５２７に移り、上記ステップＳ５２５′において、印字ラベル作成枚数を取得できたかどうかを判定する（なお、ステップＳ５２０が枚数情報取得手段として機能する）。通信対象の無線タグ回路素子ＴｏのＩＣ回路部１５０に上記図１９のようにタグＩＤ、コマンド、印字データ、及び印字ラベル作成枚数が記憶されており、印字ラベル作成枚数を取得できた場合は判定が満たされ、このルーチンを終了し、図９に示したメインフローに戻る。これにより、図９に示したステップＳ４１０〜ステップＳ４９０においては、上記ステップＳ５２５′で取得された作成枚数の、印字ラベルＬの作成を実行する。したがって、図２０のステップＳ５２７は、各請求項記載の第２設定手段として機能することとなる（図２０のそれ以外の全手順は第１設定手段として機能する）。
【０１９１】
一方、通信対象の無線タグ回路素子ＴｏのＩＣ回路部１５０から印字ラベル作成枚数を取得できなかった場合（上記図１９のようにタグＩＤ、コマンド、印字データ、及び印字ラベル作成枚数が記憶されていたものの印字ラベル作成枚数を取得できなかった場合や、上記図７のように印字ラベル作成枚数が記憶されていなかった場合等）は、ステップＳ５２７の判定が満たされず、ステップＳ５３０に移る。以降、上記図１０と同様、操作者が無線タグＴを通信可能範囲内に進入・退出させた回数に応じて、印字ラベルＬの作成枚数が設定される。
【０１９２】
なお、以上は１枚タグＴの場合を例にとって説明したが、１０枚タグＴの場合も同様の手法で処理を行うことができる。
【０１９３】
本変形例によれば、予めＩＣ回路部１５０に上記枚数情報が記憶された無線タグＴ（図１９参照）が用意されている場合には、操作者が手で持った無線タグＴを外部アンテナ３２の通信可能範囲内に進入させ、枚数情報を取得させることで、容易に印字ラベルＬの作成枚数を設定することができる。このようにして枚数設定の手法のバリエーションを多様化することで、設定態様を適宜に使い分けることができ、さらに利便性を向上することができる。
【０１９４】
さらに、操作者が、無線タグＴのＩＣ回路部１５０に上記枚数情報が記憶されているかどうか分からない場合は、まずは無線タグＴを手に持って、外部アンテナ３２の通信可能範囲外から通信可能範囲内に進入させ、それだけで印字ラベルＬの作成枚数設定がなされたかどうかを確認する。そして、それだけでは枚数設定がなされない場合に、無線タグＴを遠ざけたり近づけたりする動作によって作成枚数を設定すればよい。この結果、無駄な操作労力をなくし、さらに確実に利便性を向上できる。
【０１９５】
（５）キーボードでも作成枚数を設定可能とする場合
上記（４）の変形例においては、無線タグＴより作成枚数情報が取得できなかった場合は、操作者が無線タグＴを通信可能範囲内に進入・退出させた回数に応じて印字ラベルＬの作成枚数を設定したが、さらに、キーボード３（詳細には例えば文字キー３ｃ等）により印字ラベルＬの作成枚数を設定可能としてもよい。
【０１９６】
図２１に、本変形例においてＣＰＵ４０で実行される上記ステップＳ４００における作成枚数設定処理の詳細制御内容を、上述の１枚タグＴの場合を例にとって説明する。
【０１９７】
図２１において、このフローでは、上記図２０に示したフローのステップＳ５２７とステップＳ５３０との間に新たにステップＳ５２８を加えた点が異なる。
【０１９８】
すなわち、前述のステップＳ５２７で無線タグ回路素子Ｔｏから取得した情報より印字ラベル作成枚数を取得できず判定が満たされなかった場合、ステップＳ５２８に移る。ステップＳ５２８では、キーボード３（操作手段）を用いた適宜の操作（例えば図示しないファンクションキーによりラベル枚数の手動設定モードにした後、文字キー３ｃによって数字を入力する等）により、印字ラベル作成枚数が入力設定されているかどうかを判定する。キーボード３により作成枚数が設定されていた場合には判定が満たされ、このルーチンを終了し、図９に示したメインフローに戻る。これにより、図９に示したステップＳ４１０〜ステップＳ４９０においては、上記ステップＳ５２８で取得された（すなわちキーボード３で設定した）作成枚数の、印字ラベルＬの作成を実行する。したがって、図２１のステップＳ５２８は、各請求項記載の第３設定手段として機能することとなる。
【０１９９】
一方、キーボード３により作成枚数が設定されていなかった場合にはステップＳ５２８の判定が満たされず、ステップＳ５３０に移る。以降、上記図１０や図２０と同様、操作者が無線タグＴを通信可能範囲内に進入・退出させた回数に応じて、印字ラベルＬの作成枚数が設定される。
【０２００】
なお、以上は１枚タグＴの場合を例にとって説明したが、１０枚タグＴの場合も同様の手法で処理を行うことができる。
【０２０１】
本変形例によれば、無線タグＴのＩＣ回路部１５０に印字ラベル作成枚数が記憶されていない場合には、操作者が無線タグＴを遠近させることによる枚数設定に加え、キーボード３を用いた枚数設定も可能となる。このようにして枚数設定の手法のバリエーションをさらに多様化することで、さらに利便性を向上することができる。
【０２０２】
（６）作成枚数のリセット
上記のような種々の手法により設定した印字ラベルＬの作成枚数を、（実際に印字ラベルＬの作成を開始する前に）例えば図２２に示すような初期化用の無線タグＴｒにより初期化するようにしてもよい。この無線タグＴｒの無線タグ回路素子Ｔｏに備えられたＩＣ回路部１５０のメモリ部１５５には、図２３に示すように、上記タグＩＤと、既に設定済みの印字ラベルＬの作成枚数を初期化する（０にする）ように指示するためのコマンド（枚数初期化コマンド）とが記憶されている。
【０２０３】
この場合、操作者が、無線タグＴｒを外部アンテナ３２の通信可能範囲内に進入させ、外部アンテナ３２と無線タグ回路素子Ｔｏとを通信させることにより、ＣＰＵ４０は、上記コマンドに基づき、その時点で設定されていた印字ラベルＬの作成枚数を０に初期化する（初期化手段としての機能）。なお、このとき、上記初期化が有効に機能するための、通信可能範囲内に位置する通信継続時間の条件（例えば３秒以上かざされたら初期化、等）や、「タグをかざす」「タグをはずす」動作の断続回数の条件（例えば３回断続したら初期化）等、通信継続期間の態様に関して所定の条件を設けてもよい。
【０２０４】
本変形例によれば、操作者は、無線タグＴｒを用いて、それまでに設定した印字ラベルＬの作成枚数の設定値をクリアすることができる。この結果、誤って違う枚数を設定した等、もう一度印字ラベルＬの作成枚数の設定をやり直したいときでも、操作者は、ラベル作成装置１のキーボード３を操作したり、あるいはラベル作成装置１に接続した端末でのキー操作を必要とせずに、容易に作成枚数を再設定することができる。
【０２０５】
（７）その他
また、以上においては、印字の終了した印字済みラベルテープ２３をカッタ３１で切断して印字ラベルＬを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３１で切断しなくても、テープが排出口から排出されてきた後にラベル台紙（印字がなされたもの）のみをテープから剥がして印字ラベルＬを作成しても良く、本発明はこのようなものに対しても適用できる。
【０２０６】
また、以上においては、基材テープ１６とは別のカバーフィルム１１に印字を行ってこれらを貼り合わせる方式であったが、これに限られず、基材テープ自体に備えられた被印字テープ層（熱により発色し印字形成可能な感熱材料からなる感熱層や、インクリボンからの熱転写により印字形成可能な被転写材料からなる転写層や、インクを塗布することで印字形成可能な受像材料からなる受像層）に印字を行う方式（貼りあわせを行わないタイプ）に本発明を適用してもよい。
【０２０７】
さらに、以上は、基材テープ１６がリール部材１７ａの周りに巻回されて第１ロール１７を構成し、カートリッジ１０内にその第１ロール１７が配置されて基材テープ１６が繰り出される場合を例にとって説明したが、これに限られない。例えば、長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをラベル作成装置１側のカートリッジホルダに装着して、上記収納部から移送、搬送して印字を行い印字ラベルＬを作成するようにしてもよい。
【０２０８】
さらには上記第１ロール１７を直接ラベル作成装置１側に着脱可能に装着する構成や、長尺平紙状あるいは短冊状のテープやシートをラベル作成装置１外より１枚ずつ所定のフィーダ機構によって移送しラベル作成装置１内へ供給する構成も考えられ、さらにはカートリッジ１０のようなラベル作成装置１本体側に着脱可能なものにも限られず、装置本体側に着脱不能のいわゆる据え付け型あるいは一体型として第１ロール１７を設けることも考えられる。この場合も同様の効果を得る。
【０２０９】
なお、以上において、図４、図５、図６等の各図中に示す矢印は信号の流れの一例を示すものであり、信号の流れ方向を限定するものではない。
【０２１０】
また、図９、図１０、図１１、図１４、図１９、図２０、図２１等に示すフローチャートは本発明を上記フローに示す手順に限定するものではなく、発明の趣旨及び技術的思想を逸脱しない範囲内で手順の追加・削除又は順番の変更等をしてもよい。
【０２１１】
また、以上既に述べた以外にも、上記実施形態や各変形例による手法を適宜組み合わせて利用しても良い。
【０２１２】
その他、一々例示はしないが、本発明は、その趣旨を逸脱しない範囲内において、種々の変更が加えられて実施されるものである。
【符号の説明】
【０２１３】
１                ラベル作成装置（印字ラベル作成装置）
２                装置本体
４                サーマル印刷機構（印字ラベル作成部）
５                表示部（表示手段）
１０              カートリッジ
１１              カバーフィルム（被印字媒体）
１９              印字ヘッド（印字手段）
２３              印字済みラベルテープ
２６              テープ圧着ローラ駆動軸（搬送手段）
３２              外部アンテナ（アンテナ手段）
４６              制御回路
６０              スピーカ（音声報知手段）
６１              発光ランプ（発光報知手段）
１５０            ＩＣ回路部
１５１            タグアンテナ
２００            筐体
Ｌ                印字ラベル
Ｓ                印字領域
Ｔ                無線タグ
Ｔｏ              無線タグ回路素子
【図１】
2010173171.tif 000003
【図２】
2010173171.tif 000004
【図３】
2010173171.tif 000005
【図４】
2010173171.tif 000006
【図５】
2010173171.tif 000007
【図６】
2010173171.tif 000008
【図７】
2010173171.tif 000009
【図８】
2010173171.tif 000010
【図９】
2010173171.tif 000011
【図１０】
2010173171.tif 000012
【図１１】
2010173171.tif 000013
【図１２】
2010173171.tif 000014
【図１３】
2010173171.tif 000015
【図１４】
2010173171.tif 000016
【図１５】
2010173171.tif 000017
【図１６】
2010173171.tif 000018
【図１７】
2010173171.tif 000019
【図１８】
2010173171.tif 000020
【図１９】
2010173171.tif 000021
【図２０】
2010173171.tif 000022
【図２１】
2010173171.tif 000023
【図２２】
2010173171.tif 000024
【図２３】
2010173171.tif 000025